(57)【要約】  いくつかの実施形態によれば、無線装置における方法は、無線装置がデータ伝送を受信するために割り振られた時間および周波数リソースのセットを示す制御情報を含む制御チャネル（たとえば、物理ダウンリンク制御チャネル（ＰＤＣＣＨ））を受信することと、データ伝送のために割り振られた時間および周波数リソースのセットが制御リソース領域（たとえば、制御リソースのセット（ＣＯＲＥＳＥＴ））とオーバーラップすることを判定することと、データ伝送のために割り振られた時間および周波数リソースのセットにおいてデータ伝送を受信することと、を備える。制御情報は、データ伝送領域のために除外された／含まれた時間および周波数リソースの１つ以上のグループを示すビットマップを含むことができる。
2020507265.tif 000002
【特許請求の範囲】
【請求項１】
ネットワークノードにおける方法であって、 
キャリアのための１つ以上の制御リソース領域を判定する（１０６２）ことであって、前記１つ以上の制御リソース領域の各制御リソース領域は、時間および周波数リソースのセットを備える、判定（１０６２）することと、 
１つ以上の制御リソース領域のうちの第１の制御リソース領域内の制御チャネル領域を判定（１０６４）することと、 
１つ以上の制御リソース領域のうちの少なくとも１つの制御リソース領域内のデータ伝送領域を判定（１０６６）することと、
判定された前記データ伝送領域を無線装置にシグナリング（１０６８）することと、
を含む方法。
【請求項２】
前記データ伝送領域は、前記少なくとも１つの制御リソース領域内の前記リソースのサブセットを含む、請求項１に記載の方法。
【請求項３】
前記データ伝送領域は、前記制御チャネル領域のためのリソースを除外する、請求項１または２に記載の方法。
【請求項４】
前記データ伝送領域は、前記少なくとも１つの制御リソース領域内のリソースと、前記１つ以上の制御リソース領域のいずれかの外側のリソースとを含む、請求項１から３のいずれか１項に記載の方法。
【請求項５】
前記少なくとも１つの制御リソース領域内のリソースの周波数範囲は、前記１つ以上の制御リソース領域のうちのいずれかの外側の前記リソースの周波数範囲と同じである、請求項４に記載の方法。
【請求項６】
前記少なくとも１つの制御リソース領域内の前記リソースの周波数範囲は、前記１つ以上の制御リソース領域のいずれかの外側の前記リソースの周波数範囲とは異なる、請求項４に記載の方法。
【請求項７】
前記データ伝送領域は、前記少なくとも１つの制御リソース領域の外側のリソースを除外する、請求項１から３のいずれか１項に記載の方法。
【請求項８】
前記データ伝送領域は、前記少なくとも１つの制御リソース領域の内側のすべてのリソースを含む、請求項１に記載の方法。
【請求項９】
前記１つ以上の制御リソース領域は１つ以上の制御リソースのセット（ＣＯＲＥＳＥＴＳ）を含み、前記制御チャネル領域は、物理ダウンリンク制御チャネル（ＰＤＣＣＨ）を含む、請求項１から８のいずれか１項に記載の方法。
【請求項１０】
判定された前記データ伝送領域を前記無線装置にシグナリングすることは、ビットマップをシグナリングすることを含み、前記ビットマップは、
データ伝送領域に使用される時間および周波数リソースの１つ以上のグループと、
データ伝送領域から除外される時間および周波数リソースの１つ以上のグループと、
のうちの少なくとも１つを指示する、請求項１から９のいずれか１項に記載の方法。
【請求項１１】
判定された前記データ伝送領域を前記無線装置にシグナリングすることは、少なくとも１つの制御リソース領域の識別子をシグナリングすることを含み、前記少なくとも１つの制御リソース領域の前記識別子は、
データ伝送領域に使用される制御リソース領域と、
前記データ伝送領域から除外される制御リソース領域と、
のうちの少なくとも１つを示す、請求項１から９のいずれか１項に記載の方法。
【請求項１２】
処理回路（１１２０）を含むネットワークノード（１２０）であって、前記処理回路は、
１つのキャリアのための１つ以上の制御リソース領域（１０）を判定することであって、前記１つ以上の制御リソース領域の各制御リソース領域は、時間および周波数リソースのセットを備える、判定し、
前記１つ以上の制御リソース領域のうちの第１の制御リソース領域内の制御チャネル領域を判定し、
前記１つ以上の制御リソース領域のうちの少なくとも１つの制御リソース領域内のデータ伝送領域を判定し、
判定された前記データ伝送領域を無線装置（１１０）にシグナリングする、
ように動作可能である、ネットワークノード。
【請求項１３】
前記データ伝送領域は、前記少なくとも１つの制御リソース領域内の前記リソースのサブセットを備える、請求項１２に記載のネットワークノード。
【請求項１４】
前記データ伝送領域は、前記制御チャネル領域のためのリソースを除外する、請求項１２−１のいずれか１項に記載のネットワークノード。
【請求項１５】
前記データ伝送領域は、前記少なくとも１つの制御リソース領域の内側のリソースと、前記１つ以上の制御リソース領域のいずれかの外側のリソースとを備える、請求項１２−１のいずれか１項に記載のネットワークノード。
【請求項１６】
前記少なくとも１つの制御リソース領域の内側のリソースの周波数範囲は、前記１つ以上の制御リソース領域のいずれかの外側の前記リソースの周波数範囲と同じである、請求項１５に記載のネットワークノード。
【請求項１７】
前記少なくとも１つの制御リソース領域の内側の前記リソースの周波数範囲は、前記１つ以上の制御リソース領域のいずれかの外側の前記リソースの周波数範囲とは異なる、請求項１５に記載のネットワークノード。
【請求項１８】
前記データ伝送領域は、前記少なくとも１つの制御リソース領域外のリソースを除外する、請求項１２から１４のいずれか１項に記載のネットワークノード。
【請求項１９】
前記データ伝送領域は、前記少なくとも１つの制御リソース領域内のすべてのリソースを含む、請求項１２に記載のネットワークノード。
【請求項２０】
前記１つ以上の制御リソース領域は１つ以上の制御リソースセット（ＣＯＲＥＳＥＴＳ）を含み、前記制御チャネルは物理ダウンリンク制御チャネル（ＰＤＣＣＨ）を含む、請求項１２から１９のいずれか１項に記載のネットワークノード。
【請求項２１】
前記処理回路はビットマップをシグナリングすることによって、判定された前記データ伝送領域を前記無線装置にシグナリングするように動作可能であり、前記ビットマップは、
前記データ伝送領域に使用される時間および周波数リソースの１つ以上のグループと、
前記データ伝送領域から除外される時間および周波数リソースの１つ以上のグループと、
のうちの少なくとも１つを示す、請求項１２から２０のいずれか１項に記載のネットワークノード。
【請求項２２】
前記処理回路は少なくとも１つの制御リソース領域の識別子をシグナリングすることによって、判定された前記データ伝送領域を前記無線装置にシグナリングするように動作可能であり、前記少なくとも１つの制御リソース領域の前記識別子は、
前記データ伝送領域に使用される制御リソース領域と、
前記データ伝送領域から除外される制御リソース領域と、
のうちの少なくとも１つを示す、請求項１２から２０のいずれか１項に記載のネットワークノード。
【請求項２３】
無線装置における方法であって、 
無線装置がデータ伝送を受信するために割り当てられた時間および周波数リソースのセットを示す制御情報を含む制御チャネルを受信（１１６２）することと、
データ伝送のために割り当てられた時間および周波数リソースのセットが制御リソース領域とオーバーラップすることを判定（１１６４）することと、
データ伝送のために割り当てられた時間および周波数リソースのセットにおいてデータ伝送を受信（１１６６）することと、
を含む方法。
【請求項２４】
データ伝送のために割り当てられた時間および周波数リソースの前記セットは、前記制御リソース領域内の前記リソースのサブセットを含む、請求項２３に記載の方法。
【請求項２５】
データ伝送のために割り当てられる時間および周波数リソースの前記セットは、制御チャネルのために使用されるリソースを除外する、請求項２３から２４のいずれか１項に記載の方法。
【請求項２６】
データ伝送のために割り当てられる時間および周波数リソースの前記セットは、前記制御リソース領域内のリソースと、任意の制御リソース領域外のリソースとを含む、請求項２３から２５のいずれか１項に記載の方法。
【請求項２７】
前記制御リソース領域内の前記リソースの周波数範囲は、前記制御リソース領域外の前記リソースの周波数範囲と同じである、請求項２６に記載の方法。
【請求項２８】
前記制御リソース領域内の前記リソースの周波数範囲は、前記制御リソース領域外の前記リソースの周波数範囲とは異なる、請求項２６に記載の方法。
【請求項２９】
データ伝送のために割り当てられた時間および周波数リソースの前記セットは、前記制御リソース領域外のリソースを除外する、請求項２３から２５のいずれか１項に記載の方法。
【請求項３０】
データ伝送のために割り当てられた時間および周波数リソースの前記セットは、前記制御リソース領域内のすべてのリソースを含む、請求項２３に記載の方法。
【請求項３１】
前記制御リソース領域は制御リソースセット（ＣＯＲＥＳＥＴ）を含み、前記制御チャネルは、物理ダウンリンク制御チャネル（ＰＤＣＣＨ）を含む、請求項２３から３０のいずれか１項に記載の方法。
【請求項３２】
前記制御情報はビットマップを含み、前記ビットマップは、 
前記データ伝送領域に使用される時間および周波数リソースの１つ以上のグループと、
前記データ伝送領域から除外される時間および周波数リソースの１つ以上のグループと、
の少なくとも１つを示す、請求項２３から３１のいずれか１項に記載の方法。
【請求項３３】
前記制御情報は少なくとも１つの制御リソース領域の識別子を含み、前記少なくとも１つの制御リソース領域の前記識別子は、 
前記データ伝送に使用される制御リソース領域と、
前記データ伝送から除外される制御リソース領域と、
のうちの少なくとも１つを示す、請求項２３から３１のいずれか１項に記載の方法。
【請求項３４】
処理回路（１０２０）を備える無線装置（１１０）であって、前記処理回路は、
データ伝送を受信するために前記無線装置に割り当てられた時間および周波数リソースのセットを示す制御情報を含む制御チャネルを受信し、
データ伝送のために割り当てられた時間および周波数リソースのセットが制御リソース領域（１０）とオーバーラップすることを判定し、
データ伝送のために割り当てられた時間および周波数リソースのセットにおいてデータ伝送を受信する、
ように動作可能である無線装置。
【請求項３５】
データ伝送のために割り当てられた時間および周波数リソースの前記セットは、前記制御リソース領域内の前記リソースのサブセットを備える、請求項３４に記載の無線装置。
【請求項３６】
データ伝送のために割り当てられた時間および周波数リソースの前記セットは、制御チャネルのために使用されるリソースを除外する、請求項３４から３５のいずれか１項に記載の無線装置。
【請求項３７】
データ伝送のために割り当てられた時間および周波数リソースの前記セットは、前記制御リソース領域内のリソースと、任意の制御リソース領域外のリソースとを備える、請求項３４から３６のいずれか１項に記載の無線装置。
【請求項３８】
前記制御リソース領域内の前記リソースの周波数範囲は、前記制御リソース領域外の前記リソースの周波数範囲と同じである、請求項３７に記載の無線装置。
【請求項３９】
前記制御リソース領域内の前記リソースの周波数範囲は、前記制御リソース領域外の前記リソースの周波数範囲とは異なる、請求項３７に記載の無線装置。
【請求項４０】
データ伝送のために割り当てられた時間および周波数リソースの前記セットは、前記制御リソース領域外のリソースを除外する、請求項３４から３６のいずれか１項に記載の無線装置。
【請求項４１】
データ伝送のために割り当てられた時間および周波数リソースの前記セットは、前記制御リソース領域内のすべてのリソースを備える、請求項３４に記載の無線装置。
【請求項４２】
前記制御リソース領域は制御リソースセット（ＣＯＲＥＳＥＴ）を含み、前記制御チャネル領域は、物理ダウンリンク制御チャネル（ＰＤＣＣＨ）を含む、請求項３４から４１のいずれか１項に記載の無線装置。
【請求項４３】
前記制御情報はビットマップを含み、前記ビットマップは、 
前記データ伝送領域に使用される時間および周波数リソースの１つ以上のグループと、
前記データ伝送領域から除外される時間および周波数リソースの１つ以上のグループと、
のうちの少なくとも１つを示す、請求項３４から４２のいずれか１項に記載の無線装置。
【請求項４４】
前記制御情報は少なくとも１つの制御リソース領域の識別子を含み、前記少なくとも１つの制御リソース領域の前記識別子は、
データ伝送に使用される制御リソース領域と、
データ伝送から除外される制御リソース領域と、
のうちの少なくとも１つを示す、請求項３４から４２のいずれか１項に記載の無線装置。
【発明の詳細な説明】
【技術分野】
【０００１】
＜関連出願＞
本出願は、２０１７年２月６日に出願された「制御領域におけるデータ伝送」と題する米国仮出願第６２／４５５，５０８号の優先権を主張する。
【０００２】
＜技術分野＞
特定の実施形態は無線通信に関し、より詳細には、制御領域におけるユーザデータの伝送に関する。
【背景技術】
【０００３】
第３世代パートナーシッププロジェクト（３ＧＰＰ）第５世代（５Ｇ）Ｎｅｗ  Ｒａｄｉｏ（ＮＲ）システムはダウンリンク制御情報（ＤＣＩ）、例えば、ダウンリンクスケジューリング割当ておよびアップリンクスケジューリング許可のために物理ダウンリンク制御チャネル（ＰＤＣＣＨ）を使用する。ＰＤＣＣＨは一般に、スロットの始めに送信され、同じまたは後のスロット内のデータに関連する（ミニスロットの場合、ＰＤＣＣＨは、通常のスロット内で送信することもできる）。ＰＤＣＣＨの異なるフォーマット（サイズ）は異なるＤＣＩペイロード・サイズおよび異なるアグリゲーション・レベル（すなわち、所与のペイロード・サイズに対する異なるコード・レート）を処理することが可能である。
【０００４】
ユーザ機器（ＵＥ）は、異なるアグリゲーションレベルおよびＤＣＩペイロードサイズのいくつかのＰＤＣＣＨ候補をブラインドで監視（または探索）するように（暗黙的および／または明示的に）構成される。有効なＤＣＩメッセージを検出すると（すなわち、候補の復号が成功し、ＤＣＩがＵＥが監視すべきアイデンティティ（ＩＤ）を含むと）、ＵＥはＤＣＩに従う（例えば、対応するダウンリンクデータを受信するか、またはアップリンクで送信する）。ブラインド復号プロセスはＵＥにおいて複雑さを犠牲にするが、異なるＤＣＩペイロードサイズの柔軟なスケジューリングおよびハンドリングを提供するために必要とされる。
【０００５】
ＮＲは、ＵＥがＰＤＣＣＨ伝送を監視することができる制御リソース領域をどのように構成するか、およびＵＥが複数の制御リソース領域を用いてどのように構成されることができるかに関する仕様を含む。これらの制御領域のいくつかは複数のＵＥに向けられた共通制御メッセージを送信するために使用されてもよく、いくつかはＵＥ固有の制御メッセージに向けられてもよい。制御領域は、共通の制御メッセージおよびＵＥ固有の制御メッセージの両方にサービスを提供することができる。ロングタームエボリューション（ＬＴＥ）とのＮＲの１つの違いは、キャリア帯域幅がより大きくなり得ることである。それゆえ、制御領域が搬送波の帯域幅全体に及ばない場合、利点がある。したがって、制御領域は、時間および周波数において制限され得る。
【０００６】
制御領域は一般に、複数のＵＥが領域内でシグナリングされ得ることを保証するように寸法決めされる。これを行うために、制御メッセージを探索するために制御領域に割り当てられるＵＥの数が制御領域において利用可能なリソースよりもはるかに多い場合に、統計的多重化を使用することができる。したがって、任意の特定のＵＥがスケジュールされる必要があるときに、ブロッキング確率を最小限に抑えるために統計的多重化を使用することができるように、異なるＵＥのための探索空間がランダム化される。したがって、制御領域は複数のＵＥのためのＰＤＣＣＨを同時にシグナリングすることができるように寸法決めされてもよく、制御領域を監視するために割り当てられるＵＥの数は同時にシグナリングされることができるＵＥの数よりも多いことが期待される。
【０００７】
さらに、ＵＥは、ＵＥが１つ以上のＰＤＣＣＨの潜在的な受信を監視する１つ以上の制御領域を用いて構成され得る。１つのＵＥまたは異なるＵＥのための制御領域は、原則として、部分的にまたは完全にオーバーラップすることができる。
【０００８】
既存のソリューションは、ＵＥが複数の制御領域で構成される状況を適切に処理しない。また、それらは、制御リソースを再使用するための各種所望のオプションについてシグナリングの複雑さを最適化しない。
【発明の概要】
【０００９】
本明細書で説明される実施形態は、制御領域リソースがどのように再使用されるべきかをＵＥに通知する３つの態様でのユーザ機器（ＵＥ）へのシグナリングを含む。これらは、データ伝送の開始位置、データ伝送に使用される周波数における物理リソースブロック、および制御領域において未使用リソースを再使用しないオプションを含む、ＵＥに構成された１つ以上の制御領域において未使用リソースをどのように再使用するかに関するオプションである。
【００１０】
特定の実施形態は上記の３つの態様によって定義されるように、可能な限り少ないビットを有するフィールドを使用し、制御リソースの再使用のための特定のオプションを有するフィールドの値を符号化することによって、そのようなシグナリングのオーバヘッドを最適化する。特定の実施形態は、非常に低い遅延で緊急に送信される必要があるデータ伝送がＵＥのために定義された制御領域のうちの１つ以上において純粋に行われることを可能にする。
【００１１】
いくつかの実施形態によれば、ネットワークノードにおける方法はキャリアのための１つ以上の制御リソース領域（例えば、制御リソースセット（ＣＯＲＥＳＥＴ））を判定することを備える。１つ以上の制御リソース領域の各制御リソース領域は、時間および周波数リソースのセットを備える。この方法は１つ以上の制御リソース領域の第１の制御リソース領域内の制御チャネル領域（たとえば、物理ダウンリンク制御チャネル（ＰＤＣＣＨ））を判定することをさらに備える。制御チャネル領域は、第１の制御リソース領域の時間周波数リソースのサブセットを備えることができる。この方法は、１つ以上の制御リソース領域のうちの少なくとも１つの制御リソース領域においてデータ伝送領域を判定することと、判定されたデータ伝送領域を無線装置にシグナリングすることとをさらに備える。
【００１２】
特定の実施形態では、データ伝送領域は、少なくとも１つの制御リソース領域におけるリソースのサブセットを含む。データ伝送領域は、制御チャネル領域のためのリソースを除外することができる。
【００１３】
特定の実施形態では、データ伝送領域は、少なくとも１の制御リソース領域内のリソースと、１以上の制御リソース領域のいずれかの外部のリソースとを含む。少なくとも１つの制御リソース領域内のリソースの周波数範囲は１つ以上の制御リソース領域のいずれかの外側のリソースの周波数範囲と同じであってもよく、または周波数範囲は１つ以上の制御リソース領域のいずれかの外側のリソースの周波数範囲と異なってもよい。
【００１４】
特定の実施形態では、データ伝送領域は、少なくとも１つの制御リソース領域の外側のリソースを除外する。データ伝送領域は、少なくとも１つの制御リソース領域内のすべてのリソースを備えることができる。
【００１５】
特定の実施形態では、判定されたデータ伝送領域を無線装置にシグナリングすることはビットマップをシグナリングすることを含む。ビットマップは、データ伝送領域のために使用される時間及び周波数リソースの１つ以上のグループと、データ伝送領域から除外される時間及び周波数リソースの１つ以上のグループとのうちの少なくとも１つを示す。
【００１６】
特定の実施形態では、判定されたデータ伝送領域を無線装置にシグナリングすることは少なくとも１つの制御リソース領域の識別子をシグナリングすることを含む。少なくとも１つの制御リソース領域の識別子は、データ伝送領域に使用される制御リソース領域と、データ伝送領域から除外される制御リソース領域とのうちの少なくとも１つを示す。
【００１７】
いくつかの実施形態によれば、ネットワークノードは、処理回路を備える。処理回路はキャリアのための１つ以上の制御リソース領域（例えば、ＣＯＲＥＳＥＴ）を判定するように動作可能である。１つ以上の制御リソース領域の各制御リソース領域は、時間および周波数リソースのセットを備える。処理回路は、１つ以上の制御リソース領域の第１の制御リソース領域内の制御チャネル領域（たとえば、ＰＤＣＣＨ）を判定するようにさらに動作可能である。制御チャネル領域は、第１の制御リソース領域の時間周波数リソースのサブセットを備えることができる。処理回路は１つ以上の制御リソース領域のうちの少なくとも１つの制御リソース領域内のデータ伝送領域を判定し、判定されたデータ伝送領域を無線装置にシグナリングするようにさらに動作可能である。
【００１８】
特定の実施形態では、データ伝送領域は、少なくとも１つの制御リソース領域におけるリソースのサブセットを含む。データ伝送領域は、制御チャネル領域のためのリソースを除外することができる。
【００１９】
特定の実施形態では、データ伝送領域は、少なくとも１の制御リソース領域内のリソースと、１以上の制御リソース領域のいずれかの外部のリソースとを含む。少なくとも１つの制御リソース領域内のリソースの周波数範囲は１つ以上の制御リソース領域のいずれかの外側のリソースの周波数範囲と同じであってもよく、または周波数範囲は１つ以上の制御リソース領域のいずれかの外側のリソースの周波数範囲と異なってもよい。
【００２０】
特定の実施形態では、データ伝送領域は、少なくとも１つの制御リソース領域の外側のリソースを除外する。データ伝送領域は、少なくとも１つの制御リソース領域内のすべてのリソースを備えることができる。
【００２１】
特定の実施形態では、処理回路がビットマップをシグナリングすることにより、判定されたデータ伝送領域を無線装置にシグナリングするように動作する。ビットマップは、データ伝送領域のために使用される時間及び周波数リソースの１つ以上のグループと、データ伝送領域から除外される時間及び周波数リソースの１つ以上のグループとのうちの少なくとも１つを示す。
【００２２】
特定の実施形態では、処理回路が少なくとも１つの制御リソース領域の識別子をシグナリングすることによって、判定されたデータ伝送領域を無線装置にシグナリングするように動作可能である。少なくとも１つの制御リソース領域の識別子は、データ伝送領域に使用される制御リソース領域と、データ伝送領域から除外される制御リソース領域とのうちの少なくとも１つを示す。
【００２３】
いくつかの実施形態によれば、無線装置における方法は無線装置がデータ伝送を受信するために割り振られた時間および周波数リソースのセットを示す制御情報を含む制御チャネル（たとえば、ＰＤＣＣＨ）を受信することと、データ伝送のために割り振られた時間および周波数リソースのセットが制御リソース領域（たとえば、ＣＯＲＥＳＥＴ）とオーバーラップすることを判定することと、データ伝送のために割り振られた時間および周波数リソースのセットにおいてデータ伝送を受信することとを備える。
【００２４】
特定の実施形態では、データ伝送のために割り当てられた時間及び周波数リソースのセットは、制御リソース領域におけるリソースのサブセットを含む。データ伝送のために割り当てられた時間および周波数リソースのセットは、制御チャネルのために使用されるリソースを除外することができる。
【００２５】
特定の実施形態では、データ伝送のために割り当てられた時間及び周波数リソースのセットは、制御リソース領域内のリソースと、任意の制御リソース領域外のリソースとを含む。少なくとも１つの制御リソース領域内のリソースの周波数範囲は１つ以上の制御リソース領域のいずれかの外側のリソースの周波数範囲と同じであってもよく、または周波数範囲は１つ以上の制御リソース領域のいずれかの外側のリソースの周波数範囲と異なってもよい。
【００２６】
特定の実施形態では、データ伝送のために割り当てられた時間及び周波数リソースのセットは、制御リソース領域外のリソースを除外する。データ伝送のために割り振られた時間および周波数リソースのセットは、制御リソース領域内のすべてのリソースを備えることができる。
【００２７】
特定の実施形態では、制御情報がビットマップを含む。ビットマップは、データ伝送領域のために使用される時間及び周波数リソースの１つ以上のグループと、データ伝送領域から除外される時間及び周波数リソースの１つ以上のグループとのうちの少なくとも１つを示す。
【００２８】
特定の実施形態では、制御情報が少なくとも１つの制御リソース領域の識別子を含む。少なくとも１つの制御リソース領域の識別子は、データ伝送に使用される制御リソース領域と、データ伝送から除外される制御リソース領域とのうちの少なくとも１つを示す。
【００２９】
いくつかの実施形態によれば、無線装置は、処理回路を備える。処理回路は無線装置がデータ伝送を受信するために割り当てられた時間および周波数リソースのセットを示す制御情報を含む制御チャネルを受信し、データ伝送のために割り当てられた時間および周波数リソースのセットが制御リソース領域とオーバーラップすることを判定し、データ伝送のために割り当てられた時間および周波数リソースのセットにおいてデータ伝送を受信するように動作可能である。
【００３０】
いくつかの実施形態によれば、ネットワークノードは、判定モジュールとシグナリングモジュールとを備える。判定モジュールは、キャリアのための１つ以上の制御リソース領域を判定するように動作可能である。１つ以上の制御リソース領域の各制御リソース領域は、時間および周波数リソースのセットを備えることができる。判定モジュールは１つ以上の制御リソース領域のうちの第１の制御リソース領域内の制御チャネル領域を判定し、１つ以上の制御リソース領域のうちの少なくとも１つの制御リソース領域内のデータ伝送領域を判定するようにさらに動作可能である。シグナリングモジュールは、判定されたデータ伝送領域を無線装置にシグナリングするように動作可能である。
【００３１】
いくつかの実施形態によれば、無線装置は、受信モジュールと判定モジュールとを備える。受信モジュールは、データ伝送を受信するために無線装置に割り当てられた時間リソースおよび周波数リソースのセットを示す制御情報を含む制御チャネルを受信するように動作可能である。判定モジュールは、データ伝送のために割り当てられた時間および周波数リソースのセットが制御リソース領域とオーバーラップすることを判定するように動作可能である。受信モジュールは、データ伝送のために割り当てられた時間および周波数リソースのセットにおいて、データ伝送を受信するようにさらに動作可能である。
【００３２】
コンピュータプログラム製品も開示される。コンピュータプログラム製品は、プロセッサによって実行されると、キャリアのための１つ以上の制御リソース領域を判定するステップと、１つ以上の制御リソース領域のうちの第１の制御リソース領域内の制御チャネル領域を判定するステップと、１つ以上の制御リソース領域のうちの少なくとも１つの制御リソース領域内のデータ伝送領域を判定するステップと、判定されたデータ伝送領域を無線装置にシグナリングするステップとを実行する、非一時的コンピュータ可読媒体上に格納された命令を備える。
【００３３】
別のコンピュータプログラム製品は、プロセッサによって実行されると、無線装置がデータ伝送を受信するために割り振られた時間リソースおよび周波数リソースのセットを示す制御情報を含む制御チャネルを受信するステップと、データ伝送のために割り振られた時間リソースおよび周波数リソースのセットが制御リソース領域とオーバーラップすることを判定するステップと、データ伝送のために割り振られた時間リソースおよび周波数リソースのセットにおいてデータ伝送を受信するステップとを実行する、非一時的コンピュータ可読媒体上に格納された命令を備える。
【００３４】
特定の実施形態は、以下の技術的利点のいくつかを示し得る。例えば、特定の実施形態は、構成された制御領域において未使用のリソースを再利用することによって、データスループットを最大化する柔軟な方法を提供する。特定の実施形態は、低遅延伝送がデータ伝送と多重化されることを可能にするためのロバストな方法を提供する。他の技術的利点は、以下の図面、説明、および特許請求の範囲から当業者には容易に明らかになるのであろう。
【図面の簡単な説明】
【００３５】
実施形態ならびにそれらの特徴および利点をより完全に理解するために、添付の図面と併せて以下の説明を参照する。 
【図１】いくつかの実施形態による、例示的な無線ネットワークを示すブロック図。
【図２】特定の実施形態による、スケジュールされた物理リソースブロック（ＰＲＢ）およびデータの開始シンボルによって示される時間および周波数領域内の制御リソースのセット（ＣＯＲＥＳＥＴ）におけるリソースの再使用の例を示す図。
【図３】特定の実施形態による、スケジュールされたＰＲＢおよびデータの開始シンボルによって示される時間および周波数領域内のみのＣＯＲＥＳＥＴにおけるリソースの再使用の別の例を示す図。
【図４】特定の実施形態による、スケジュールされたＰＲＢ内のみのＣＯＲＥＳＥＴにおけるリソースの再利用の例を示す図。
【図５】特定の実施形態による、ＣＯＲＥＳＥＴ内のみのＣＯＲＥＳＥＴにおけるリソースの再利用の例を示す図。
【図６】特定の実施形態による、別のＵＥのための物理ダウンリンク制御チャネル（ＰＤＣＣＨ）を送信するために、ＣＯＲＥＳＥＴ内の１つのユーザ機器（ＵＥ）によってデータのために再使用されるリソースのパンクチャリングの例を示す図。
【図７】特定の実施形態による、ＣＯＲＥＳＥＴの外部でのデータ伝送のためのリソース割当てなしのデータ伝送のためのＣＯＲＥＳＥＴ内のリソースの再使用の例を示す図。
【図８】特定の実施形態による、ＰＤＣＣＨが受信されたシンボル内のＣＯＲＥＳＥＴの外部でのデータ伝送のためのリソース割り当てを伴わない、データ伝送のためのＣＯＲＥＳＥＴ内のリソースの再使用の例を示す図。
【図９】特定の実施形態による、ＣＯＲＥＳＥＴの外部でのデータ伝送のリソース割り当てを伴わない、アップリンクデータのためのＣＯＲＥＳＥＴにおけるリソースの再使用の例を示す図。
【図１０】いくつかの実施形態による、ネットワークノードにおける例示的な方法を示すフロー図。
【図１１】いくつかの実施形態による、無線装置における例示的な方法を示すフロー図。
【図１２Ａ】無線装置の例示的な実施形態を示すブロック図。
【図１２Ｂ】無線装置の例示的なコンポーネントを示すブロック図。
【図１３Ａ】ネットワークノードの例示的な実施形態を示すブロック図。
【図１３Ｂ】ネットワークノードの例示的な構成要素を示すブロック図。
【発明を実施するための形態】
【００３６】
第３世代パートナーシッププロジェクト（３ＧＰＰ）第５世代（５Ｇ）Ｎｅｗ  Ｒａｄｉｏ（ＮＲ）は、ユーザ機器（ＵＥ）が物理ダウンリンク制御チャネル（ＰＤＣＣＨ）伝送を監視することができる制御リソース領域をどのように構成するか、およびＵＥが複数の制御リソース領域を用いてどのように構成されることができるかに関する仕様を含む。これらの制御領域のいくつかは複数のＵＥに向けられた共通制御メッセージを送信するために使用されてもよく、いくつかはＵＥ固有の制御メッセージに向けられてもよい。制御領域は、共通の制御メッセージおよびＵＥ固有の制御メッセージの両方にサービスを提供することができる。ロングタームエボリューション（ＬＴＥ）とのＮＲの１つの違いは、キャリア帯域幅がより大きくなり得ることである。それゆえ、搬送波の帯域幅全体にわたるわけではない利点が制御領域に見られる。したがって、制御領域は、時間および周波数において制限され得る。
【００３７】
制御領域は一般に、複数のＵＥが領域内でシグナリングされ得ることを保証するように寸法決めされる。任意の特定のＵＥがスケジュールされる必要があるときに、ブロッキング確率を最小化するために統計的多重化が使用され得るように、異なるＵＥのためのサーチ空間はランダム化される。しかしながら、低負荷状態では、しばしば、制御領域においてＰＤＣＣＨが送信される１つまたは２つのＵＥのみが存在し得る。これらのＵＥは、制御領域の外側のスロットの残りの部分において送信されたデータを有することができる。この状況では、制御領域内の未使用のリソースが浪費される。したがって、スケジュールされたＵＥへのデータ伝送のための制御領域における未使用リソースの再利用が望ましい。
【００３８】
ＣＯＲＥＳＥＴは、ＵＥに構成される制御リソースのセットである。ＣＯＲＥＳＥＴは、周波数における物理リソースブロック（ＰＲＢ）および時間における直交周波数分割多重（ＯＦＤＭ）シンボルのセットにわたるＲＥのセットである。ＵＥは、１つ以上のＰＤＣＣＨの潜在的な受信についてＵＥが監視すべき１つ以上のＣＯＲＥＳＥＴを構成することができる。１つのＵＥまたは異なるＵＥのためのＣＯＲＥＳＥＴは、原則として（部分的に）オーバーラップすることができる。簡単にするために、以下の図では、ＣＯＲＥＳＥＴが部分的にオーバーラップしていないと仮定する。
【００３９】
既存のソリューションは、ＵＥが複数の制御領域を用いて構成される状況に適切に対処しない。また、それらは、制御リソースを再使用するための各種所望のオプションについてシグナリングの複雑さを最適化しない。
【００４０】
特定の実施形態は上述の問題を取り除き、制御領域リソースがどのように再使用されるべきかをＵＥに通知する３つの態様でのＵＥへのシグナリングを含む。これらは、データ伝送の開始位置、データ伝送に使用される周波数における物理リソースブロック、および制御領域において未使用リソースを再使用しないオプションを含む、ＵＥに構成された１つ以上の制御領域において未使用リソースをどのように再使用するかに関するオプションである。
【００４１】
特定の実施形態は上記の３つの態様によって定義されるように、可能な限り少ないビットを有するフィールドを使用し、制御リソースの再使用のための特定のオプションを有するフィールドの値を符号化することによって、そのようなシグナリングのオーバヘッドを最適化する。特定の実施形態は、非常に低い遅延で緊急に送信されなければならないデータ伝送がＵＥのために定義された制御領域のうちの１つ以上において純粋に行われることを可能にする。
【００４２】
特定の実施形態は、構成された制御領域において未使用のリソースを再利用することによって、データスループットを最大化する柔軟な方法を提供する。特定の実施形態は、低遅延伝送がデータ伝送と多重化されることを可能にするためのロバストな方法を提供する。
【００４３】
以下の説明は、多数の特定の詳細を記載する。しかしながら、実施形態は、これらの特定の詳細なしに実施されてもよいことが理解される。他の例では、この説明の理解を不明瞭にしないために、周知の回路、構造、および技法は詳細に示されていない。当業者は、含まれる説明を用いて、過度の実験なしに適切な機能を実施することができるのであろう。
【００４４】
本明細書における「実施形態」、「一実施形態」、「例示的な実施形態」などへの言及は記載された実施形態が特定の特徴、構造、または特性を含むことができることを示すが、すべての実施形態が必ずしも特定の特徴、構造、または特性を含むわけではない。さらに、そのような語句は、必ずしも同じ実施形態を参照しているわけではない。さらに、特定の特徴、構造、または特性が一実施形態に関連して記載される場合、明示的に記載されるか否かに関わらず、他の実施形態に関連して、そのような特徴、構造、または特性を実施することは、当業者の知識の範囲内であることが提出される。
【００４５】
特定の実施形態は図面の図１〜図１１を参照して説明され、同様の数字は様々な図面の同様の部分および対応する部分に使用される。ＬＴＥは例示的なセルラシステムとして本開示全体にわたって使用されるが、本明細書で提示されるアイデアは他の無線通信システムにも同様に適用され得る。
【００４６】
図１は、特定の実施形態による、例示的な無線ネットワークを示すブロック図である。無線ネットワーク１００は、１つ以上の無線装置１１０（モバイル電話、スマートフォン、ラップトップコンピュータ、タブレットコンピュータ、ＭＴＣ装置、または無線通信を提供することができる任意の他の装置など）と、複数のネットワークノード１２０（基地局またはｅＮｏｄｅＢなど）とを含む。無線装置１１０は、ＵＥとも呼ばれ得る。ネットワーク・ノード１２０は、カバレージ・エリア１１５（セル１１５とも呼ばれる）にサービスを提供する。
【００４７】
一般に、ネットワークノード１２０のカバレージ内（例えば、ネットワークノード１２０によってサービスされるセル１１５内）にある無線装置１１０は、無線信号１３０を送受信することによってネットワークノード１２０と通信する。例えば、無線装置１１０およびネットワークノード１２０は、音声トラフィック、データトラフィック、および／または制御信号を含む無線信号１３０を通信し得る。音声トラフィック、データトラフィック、および／または制御信号を無線装置１１０に通信するネットワークノード１２０は、無線装置１１０のためのサービングネットワークノード１２０と呼ばれ得る。無線装置１１０とネットワークノード１２０との間の通信は、セルラ通信と呼ばれ得る。無線信号１３０は、（ネットワークノード１２０から無線装置１１０への）ダウンリンク伝送と（無線装置１１０からネットワークノード１２０への）アップリンク伝送との両方を含むことができる。
【００４８】
各ネットワークノード１２０は、信号１３０を無線装置１１０に送信するための単一の送信器１４０以上の送信器１４０を有することができる。いくつかの実施形態では、ネットワークノード１２０が多入力多出力（ＭＩＭＯ）システムを備えることができる。同様に、各無線装置１１０は、ネットワークノード１２０または他の無線装置１１０から信号１３０を受信するための単一の受信器または複数の受信器を有し得る。
【００４９】
無線信号１３０は、制御リソースとして割り当てられた特定の時間および周波数リソースを含んでもよい。リソースは、制御領域と呼ばれてもよい。制御リソースとして割り当てられる時間および周波数リソースの一例は、ＣＯＲＥＳＥＴである。他の実施形態は、他のタイプの制御領域を含むことができる。
【００５０】
いくつかの実施形態では、ネットワークノード１２０がキャリアのための１つ以上の制御リソース領域（例えば、制御リソースセット（ＣＯＲＥＳＥＴ））を判定することができる。各制御リソース領域は、（物理リソースブロック、ＯＦＤＭシンボル、周波数範囲などによって記述される）時間および周波数リソースのセットを備える。ネットワークノード１２０は制御リソース領域内の制御チャネル領域（例えば、ＰＤＣＣＨ）を判定することができる。制御チャネル領域は、第１の制御リソース領域の時間周波数リソースのサブセットを備えることができる。ネットワークノード１２０は、制御リソース領域内のデータ伝送領域を判定することができる。ネットワークノード１２０は、判定されたデータ伝送領域を無線装置１１０にシグナリングしてもよい。
【００５１】
ネットワークノード１２０は、制御領域リソースがどのように再使用され得るかを無線装置１１０に通知する３つの態様で無線装置１１０にシグナリングし得る。これらは、データ伝送の開始位置、データ伝送に使用される周波数における物理リソースブロック、および制御領域において未使用リソースを再使用しないオプションを含む、無線装置１１０に構成された１つ以上の制御領域において未使用リソースをどのように再使用するかに関するオプションである。
【００５２】
特定の実施形態では、データ伝送領域が少なくとも１つの制御リソース領域におけるリソースのサブセットを含む。データ伝送領域は、制御チャネル領域のためのリソースを除外することができる。
【００５３】
特定の実施形態では、ネットワークノード１２０がビットマップを用いて、判定されたデータ伝送領域を無線装置１１０にシグナリングする。ビットマップは、データ伝送領域に使用される時間および周波数リソース、またはデータ伝送領域から除外される時間および周波数リソースを示すことができる。他の実施形態は、少なくとも１つの制御リソース領域の識別子を使用して、データ伝送領域に関して含めるか、または除外することができる。
【００５４】
いくつかの実施形態によれば、無線装置１１０はデータ伝送を受信するために無線装置に割り当てられた時間および周波数リソースのセットを示す制御情報を含む制御チャネル（たとえば、ＰＤＣＣＨ）を受信する。無線装置１１０はデータ伝送のために割り振られた時間および周波数リソースのセットが制御リソース領域（たとえば、ＣＯＲＥＳＥＴ）とオーバーラップすることを判定し得る。無線装置１１０は、データ伝送のために割り当てられた時間リソースおよび周波数リソースのセットにおいて、データ伝送を送信または受信し得る。
【００５５】
制御リソースを使用し、再使用するための特定の方法は、図２〜図９に関してより詳細に説明される。
【００５６】
無線ネットワーク１００では、各ネットワークノード１２０がロングタームエボリューション（ＬＴＥ）、ＬＴＥ−Ａｄｖａｎｃｅｄ、ＵＭＴＳ、ＨＳＰＡ、ＧＳＭ、ｃｄｍａ２０００、ＮＲ、ＷｉＭａｘ、ＷｉＦｉ、および／または他の適切な無線アクセス技術など、任意の適切な無線アクセス技術を使用することができる。無線ネットワーク１００は、１つ以上の無線アクセス技術の任意の適切な組合せを含むことができる。例示のために、様々な実施形態が、ある無線アクセス技術のコンテキスト内で説明され得る。しかしながら、本開示の範囲は例に限定されず、他の実施形態は異なる無線アクセス技術を使用することができる。
【００５７】
上述のように、無線ネットワークの実施形態は、１つ以上の無線装置と、無線装置と通信することができる１つ以上の異なるタイプの無線ネットワークノードとを含むことができる。ネットワークはまた、無線装置間の通信、または無線装置と別の通信デバイス（有線電話など）との間の通信をサポートするのに適した任意の追加のエレメントを含むことができる。無線装置は、ハードウェアおよび／またはソフトウェアの任意の適切な組み合わせを含み得る。例えば、特定の実施形態では、無線装置１１０のような無線装置が以下の図１０に関連して説明される構成要素を含む。同様に、ネットワークノードは、ハードウェアおよび／またはソフトウェアの任意の適切な組合せを含むことができる。例えば、特定の実施形態では、ネットワークノード１２０のようなネットワークノードが以下の図１１に関連して説明されるコンポーネントを含む。
【００５８】
様々な実施形態は、シグナリング情報を含む。ＰＤＣＣＨメッセージが周波数におけるリソース、すなわち、ＵＥへのデータ伝送のために割り当てられる物理リソースブロック（ＰＲＢ）を示すことができること、およびＰＤＣＣＨメッセージが、データ伝送のための開始シンボルを示すことができることなど、いくつかのシグナリングの一部が知られ得る。しかしながら、本明細書で説明される実施形態はデータ受信および送信の目的のためにＵＥに構成された制御リソース領域（例えば、ＣＯＲＥＳＥＴ）において未使用のリソースを再使用するための方法も含む。本明細書ではＣＯＲＥＳＥＴに関して例を説明したが、例および実施形態は任意の制御リソース領域、または任意の他の定義されたリソース領域に適用される。
【００５９】
第１のグループの実施形態は、データ伝送のための開始シンボルの解釈を含む。いくつかの実施形態では、データ伝送のための開始シンボルがＵＥに構成された任意の制御リソース領域（たとえば、ＣＯＲＥＳＥＴ）の完全に外側にあるＰＲＢにのみ適用可能である。すなわち、以下の実施形態で概説される方法によって特に指示されない限り、ＵＥはデータ伝送（ＰＤＳＣＨ）が割り当てられたＰＲＢおよび開始シンボルによって示される時間および周波数においてＲＥにマッピングされるが、ＵＥに構成される制御リソース領域（たとえば、ＣＯＲＥＳＥＴ）の一部である任意のＲＥを除外すると仮定する。
【００６０】
第２のグループの実施形態はＵＥが制御チャネル（例えば、ＰＤＣＣＨ）を受信するリソースを回避するための制御領域再使用を含む。データ伝送のために再使用される制御リソース領域内のリソースは、ＰＤＣＣＨが受信されたリソースを含まない。言い換えると、この実施形態のグループはＵＥが周波数領域において開始シンボルおよびＲＢによって与えられるリソース割当てに従うが、割当てから制御リソース領域全体（たとえば、ＣＯＲＥＳＥＴ）内のすべてのＲＥを除外する代わりに、ＵＥが制御チャネル（たとえば、ＰＤＣＣＨ）を検出したＲＥのみが除外されるという意味で、実施形態の第１のグループと同様である。
【００６１】
第３のグループの実施形態は、スケジュールされたＰＲＢおよびデータの開始シンボルによって示される時間および周波数領域内での制御領域再使用を含む。制御領域内のリソースは、スケジュールされたＰＲＢおよびデータの開始シンボルによって示される時間および周波数領域内でのみ再使用される。これはＵＥがＣＯＲＥＳＥＴにおいてＰＤＣＣＨを受信するが、ＵＥがＣＯＲＥＳＥＴ帯域幅の一部に及ぶだけのＰＲＢを送信するようにスケジュールされる図２に示される。
【００６２】
図２は特定の実施形態による、スケジュールされたＰＲＢおよびデータの開始シンボルによって示される時間および周波数領域内でのみ、ＣＯＲＥＳＥＴにおけるリソースの再使用の例を示す。図示の例は、複数のＯＦＤＭシンボル４２を含む伝送時間間隔を含む。伝送時間間隔は制御リソース領域１０（例えば、１０ａおよび１０ｂ）、制御チャネル１２、およびデータ伝送領域１４を含む。
【００６３】
スケジュールされたデータ伝送領域１４ａのための制御チャネル１２（例えば、ＰＤＣＣＨ １２）を受信するＵＥは２つの制御リソース領域１０ａ（例えば、ＣＯＲＥＳＥＴ１０ａ）で構成される。制御リソース領域１０ａは、最初の２つのＯＦＤＭシンボルにおける２つのＰＲＢグループを含む。制御リソース領域１０Ｂは、最初の２つのＯＦＤＭシンボルにおいてＰＲＢの１つのグループを含む。上述のネットワークノード１２０などのネットワークノードは、上述の無線装置１１０などのＵＥに制御チャネルを送信するために制御リソース領域１０を使用することができる。例えば、ネットワークノード１２０はダウンリンク伝送（例えば、ＤＣＩを伴うＰＤＣＣＨ）をスケジュールするために、制御チャネル１２を無線装置１１０に送信することができる。
【００６４】
ダウンリンク伝送のためのスケジューリング情報は、どの時間および周波数リソースがダウンリンク伝送のために使用されるかをＵＥに示す。時間および周波数リソースは、データ伝送領域１４によって表される。図示された例では、データ伝送領域１４が第１のＯＦＤＭシンボルで開始し、伝送時間間隔の各ＯＦＤＭシンボルで継続する。データ伝送のために割り当てられるリソースの周波数範囲は、制御リソース領域１０ａの内側と制御リソース領域１０ａの外側とで同じである。制御リソース領域１０ａ内のデータ伝送領域１４の部分は、制御チャネル領域１２と重ならない。
【００６５】
図３は特定の実施形態による、スケジュールされたＰＲＢおよびデータの開始シンボルによって示される時間および周波数領域内でのみ、ＣＯＲＥＳＥＴにおけるリソースの再使用の別の例を示す。図示の例は、複数のＯＦＤＭシンボル４２と、制御リソース領域１０と、制御チャネル１２および１６と、データ伝送領域１４および１８とを備える伝送時間間隔を含む。
【００６６】
スケジュールされたデータ伝送領域１４のための制御チャネル１２（例えば、ＰＤＣＣＨ１２）を受信する第１のＵＥは最初の２つのＯＦＤＭシンボルにおいて２つの制御リソース領域１０ａ（例えば、ＣＯＲＥＳＥＴ１０ａ）で設定される。スケジュールされたデータ伝送領域１８のための制御チャネル１６（例えば、ＰＤＣＣＨ１６）を受信する第２のＵＥはまた、最初の２つのＯＦＤＭシンボルにおいて２つの制御リソース領域１０ａ（例えば、ＣＯＲＥＳＥＴ１０ａ）で設定される。例えば、ネットワークノード１２０はデータ伝送領域１４によって表される時間および周波数リソースにおいてダウンリンク伝送をスケジュールするために、ダウンリンク制御情報を含む制御チャネル１２（例えば、ＰＤＣＣＨ１２）を第１の無線装置１１０に送信し得る。ネットワークノード１２０はデータ伝送領域１８によって表される時間および周波数リソースにおいてダウンリンク伝送をスケジュールするために、ダウンリンク制御情報を含む制御チャネル１６（たとえば、ＰＤＣＣＨ １６）を第２の無線装置１１０に送信し得る。
【００６７】
図示された例では、データ伝送領域１４が第１のＯＦＤＭシンボルで開始し、伝送時間間隔の各ＯＦＤＭシンボルで継続する。データ伝送領域１４はまた、第１のＯＦＤＭシンボルで開始し、伝送時間間隔の各ＯＦＤＭシンボルで継続するが、データ伝送領域１４とは異なる周波数リソースを使用する。
【００６８】
図示された例では、データ伝送のために割り当てられたリソースの周波数範囲が制御リソース領域１０ａの内側では制御リソース領域１０ａの外側とは異なる。データ伝送のために割り当てられるリソースの周波数範囲は、制御リソース領域１０ｂの内側と制御リソース領域１０ｂの外側とで同じである。制御リソース領域１０ａ内のデータ伝送領域１４の部分は、制御チャネル領域１２を除外する。制御リソース領域１０ａ内のデータ伝送領域１８の部分は、制御チャネル領域１６を除外する。
【００６９】
第４のグループの実施形態は、スケジュールされたＰＲＢによって示される周波数領域から独立した制御領域再使用を含む。制御領域内のリソースは、スケジュールされたＰＲＢによって示される周波数領域とは無関係に再使用される。これは図４に示されており、ＵＥはＣＯＲＥＳＥＴにおいてＰＤＣＣＨを受信するが、ＵＥはＣＯＲＥＳＥＴ帯域幅の一部にしか及ばないＰＲＢにおいてデータを受信するようにスケジュールされる。この実施形態によれば、ＣＯＲＥＳＥＴ内のリソースは、データ受信のためにスケジュールされたＰＲＢの周波数領域外にあるＰＲＢを含めて、完全に再使用される。
【００７０】
図４は、特定の実施形態による、スケジュールされたＰＲＢ内のみのＣＯＲＥＳＥＴにおけるリソースの再利用の例を示す。図示の例は図２に関して説明したものと同様に、複数のＯＦＤＭシンボル４２と、制御リソース領域１０と、制御チャネル１２と、データ伝送領域１４とを備える伝送時間間隔を含む。
【００７１】
スケジュールされたデータ伝送領域１４のための制御チャネル１２（例えば、ＰＤＣＣＨ１２）を受信するＵＥは最初の２つのＯＦＤＭシンボルにおいて２つの制御リソース領域１０ａ（例えば、ＣＯＲＥＳＥＴ１０ａ）で構成される。図示された例では、データ伝送のために割り当てられたリソースの周波数範囲が制御リソース領域１０ａの内側では制御リソース領域１０ａの外側とは異なる。例えば、制御リソース領域１０ａの周波数領域帯域幅は、制御リソース領域１０ａの外側にあるデータ伝送領域１４の部分に使用される帯域幅よりも大きい。制御リソース１０ａ内では、データ伝送領域１４が制御リソース領域１０ａの帯域幅全体（制御チャネル領域１２に使用されるリソースを除く）を使用する。
【００７２】
図５は、特定の実施形態による、ＣＯＲＥＳＥＴ内のみのＣＯＲＥＳＥＴにおけるリソースの再使用の例を示す。図示の例は図３に関して説明したものと同様に、複数のＯＦＤＭシンボル４２と、制御リソース領域１０と、制御チャネル１２および１６と、データ伝送領域１４および１８とを備える伝送時間間隔を含む。
【００７３】
スケジュールされたデータ伝送領域１４のための制御チャネル１２（例えば、ＰＤＣＣＨ１２）を受信するＵＥは最初の２つのＯＦＤＭシンボルにおいて２つの制御リソース領域１０ａ（例えば、ＣＯＲＥＳＥＴ１０Ａ）で構成される。図示された例では、データ伝送のために割り当てられたリソースの周波数範囲が制御リソース領域１０ａの内側では制御リソース領域１０ａの外側とは異なる。
【００７４】
例えば、制御リソース領域１０ａの周波数領域帯域幅は、制御リソース領域１０ａの外側にあるデータ伝送領域１４の部分に使用される帯域幅よりも小さい。同様に、制御リソース領域１０ａの周波数領域帯域幅は、制御リソース領域１０ａの外側にあるデータ伝送領域１８の部分に使用される帯域幅よりも小さい。制御リソース１０ａ内では、データ伝送領域１４および１８が制御リソース領域１０ａの帯域幅全体（制御チャネル領域１２および１６に使用されるリソースを除く）を使用する。
【００７５】
第５のグループの実施形態は別のＵＥのためのＰＤＣＣＨを送信するために、１つのＵＥによって制御領域において再使用されるデータリソースをパンクチャすることを含む。２つのＵＥは、部分的にまたは完全にオーバーラップすることができるＣＯＲＥＳＥＴ内でＰＤＣＣＨメッセージを受信することができる。各ＵＥは、他のＵＥのためのＰＤＣＣＨ伝送のために使用されるリソースがそれ自体のデータ伝送の一部であると仮定する。ｇＮＢは、各ＵＥへのＰＤＳＣＨ伝送の符号化レートを調整することによって、そのようなパンクチャリングによるパフォーマンスの損失を調整する。これは図６に示され、ＵＥのうちの１つ（例えば、制御チャネル１２）のためのＰＤＣＣＨのために使用されるリソースは他のＵＥ(そのＰＤＣＣＨおよびデータ伝送がそれぞれ、制御チャネル１６およびデータ伝送領域１８によって示される）によるデータＲＥであると仮定される。
【００７６】
図６は特定の実施形態による、別のＵＥのためのＰＤＣＣＨを送信するために、ＣＯＲＥＳＥＴ内の１つのＵＥによってデータのために再使用されるリソースのパンクチャリングの例を示す。図示の例は上述したものと同様に、複数のＯＦＤＭシンボル４２、制御リソース領域１０、制御チャネル１２および１６、ならびにデータ伝送領域１４および１８を備える伝送時間間隔を含む。
【００７７】
スケジュールされたデータ（例えば、データ伝送領域１４および１８）のための制御チャネル１２および１６（例えば、ＰＤＣＣＨ１２および１６）を受信する２つのＵＥは最初の２つのＯＦＤＭシンボル内に２つの制御リソース領域１０ａ（例えば、ＣＯＲＥＳＥＴ１０ａ）を有して構成され、それぞれは完全にオーバラップされる。
【００７８】
データ伝送領域１４は第３のＯＦＤＭシンボルで始まり、伝送時間間隔の終わりまで続く。データ伝送領域１４は、制御リソース領域１０内に時間及び周波数リソースを含まない。データ伝送領域１８はfrst OFDMシンボルで始まり、伝送時間間隔の終わりまで続く。データ伝送領域１８は、制御リソース領域１０ａおよび１０ｂ内の時間および周波数リソースを含む。制御リソース領域１０ａ内ではデータ伝送領域１８は制御リソース領域１６を除外するが、制御リソース領域１２を除外しない。
【００７９】
第６のグループの実施形態は、制御領域の外部にスケジュールされたデータがないデータのための制御領域リソースの再使用を含む。データ伝送全体は、ＵＥに構成されたＣＯＲＥＳＥＴのうちの１つ以上の中に含まれる。例えば、ＵＥは、ＣＯＲＥＳＥＴの外側の領域内のデータのために割り当てられたＲＥなしで、データのための制御領域リソースの再使用を示すフィールドを伴ってＰＤＣＣＨを受信することができる。次いで、ＵＥはＰＤＣＣＨが受信されたＣＯＲＥＳＥＴ内のリソースにおいてのみ、および場合によっては、ｇＮＢによって送信された制御メッセージ内のフィールド内に示されるものに応じて、他の構成されたＣＯＲＥＳＥＴ内でのみ、データを受信することができる。これを図７に示す。
【００８０】
図７は、特定の実施形態による、ＣＯＲＥＳＥＴの外部でのデータ伝送のためのリソース割当てなしのデータ伝送のためのＣＯＲＥＳＥＴ内のリソースの再使用の例を示す。図示の例は上述したものと同様に、複数のＯＦＤＭシンボル４２、制御リソース領域１０、制御チャネル１２および１６、ならびにデータ伝送領域１４および１８を備える伝送時間間隔を含む。
【００８１】
ＰＤＣＣＨおよびスケジュールされたデータ伝送を有するＵＥは、それぞれ、制御チャネル１２およびデータ伝送領域１４として示されている。スケジュールされたデータ（例えば、データ伝送領域１４および１８）のための制御チャネル１２および１６（例えば、ＰＤＣＣＨ１２および１６）を受信する２つのＵＥは最初の２つのＯＦＤＭシンボル内に２つの制御リソース領域１０ａ（例えば、ＣＯＲＥＳＥＴ１０ａ）を有して構成され、それぞれは完全にオーバラップされる。
【００８２】
データ伝送領域１８は第１のＯＦＤＭシンボルで始まり、伝送時間間隔の終わりまで続く。データ伝送領域１８は、制御リソース領域１０ａおよび１０ｂ（制御チャネル領域１６を除く）内の時間および周波数リソースを含む。データ伝送領域１４は、制御リソース領域１０ａ（制御リソース領域１２の時間及び周波数リソースを除く）内に時間及び周波数リソースのみを含む。
【００８３】
この実施形態の特徴では、ｇＮＢが非常に低い遅延要件を満たす必要があり、同じスロット内で受信されたＰＤＣＣＨを介して、または以前のスロットから受信されたＰＤＣＣＨを介して、そのスロット内でスケジュールされ得る他のＵＥが存在する場合であっても、特定のスロット内で送信される必要があり得るトラフィックにサービスするために有用であり得る、いくつかのＣＯＲＥＳＥＴ内でのそのようなデータ伝送の明示的な目的のために、ＵＥに複数のＣＯＲＥＳＥＴを構成し得る。
【００８４】
この実施形態の別の特徴では、変調および符号化スキーム（ＭＣＳ）からトランスポートブロックサイズ（ＴＢＳ）へのマッピングが上記の図に示されるように、ＣＯＲＥＳＥＴにおいてのみ生じるデータ伝送のために特に定義され得る。ハイブリッドＡＲＱは、ＤＣＩメッセージにおいて送信されているそのようなデータ伝送のために使用されるべきＨＡＲＱ  ＩＤを有するこれらの伝送のために使用されることができる。
【００８５】
本実施形態のさらなる特徴では、追加の自己完結型ＤＭＲＳがＣＯＲＥＳＥＴ内のみのデータ伝送のためにＣＯＲＥＳＥＴに含まれる。１つの非限定的な実施形態は、ＰＤＣＣＨのためのパターンおよび位置と一致するＤＭＲＳパターンおよび位置を挿入することである。
【００８６】
第７のグループの実施形態は、ＰＤＣＣＨと同じシンボルにおいて、制御領域の外側にスケジュールされたデータを含まないデータのための制御領域リソースの再使用を含む。データ伝送全体は、ＵＥに構成されたＣＯＲＥＳＥＴのうちの１つ以上の中に含まれ得る。例えば、ＵＥは、ＣＯＲＥＳＥＴの外側の領域内のデータのために割り当てられたＲＥを有さず、ＰＤＣＣＨが見つかったシンボルと同じシンボル内のデータのための制御領域リソースの再使用を示すフィールドを有するＰＤＣＣＨを受信することができる。一例を図８に示す。
【００８７】
図８は、特定の実施形態による、ＰＤＣＣＨが受信されたシンボル内のＣＯＲＥＳＥＴの外部でのデータ伝送のためのリソース割当てを伴わないデータ伝送のためのＣＯＲＥＳＥＴ内のリソースの再使用の例を示す。図示の例は上述したものと同様に、複数のＯＦＤＭシンボル４２、制御リソース領域１０、制御チャネル１２および１６、ならびにデータ伝送領域１４および１８を備える伝送時間間隔を含む。
【００８８】
ＰＤＣＣＨおよびスケジュールされたデータ伝送を有する第１のＵＥは、それぞれ、制御チャネル１２およびデータ伝送領域１４として示されている。ＰＤＣＣＨおよびスケジュールされたデータ伝送を有する第２のＵＥは、それぞれ、制御チャネル１６およびデータ伝送領域１８として示される。
【００８９】
スケジュールされたデータ（例えば、データ伝送領域１４および１８）のためのＰＤＣＣＨ（例えば、制御チャネル１２および１６）を受信する２つのＵＥは最初の２つのＯＦＤＭシンボルにおいて、２つの制御リソース領域１０ａ（例えば、ＣＯＲＥＳＥＴ１０ａ）を用いて構成され、それぞれは、完全にオーバーラップされる。
【００９０】
データ伝送領域１４は第１のＯＦＤＭシンボルからなり、制御リソース領域１０ａの帯域幅（制御リソース領域１２の時間および周波数リソースを除く）を含む。データ伝送領域１８は第２のＯＦＤＭシンボルからなり、制御リソース領域１０ａの帯域幅（制御リソース領域１６の時間および周波数リソースを除く）を含む。
【００９１】
第８のグループの実施形態は、開始時間および制御領域再使用オプションのジョイントエンコーディングを含む。周波数領域は、いくつかの（おそらく等しくないサイズの）領域に分割されてもよい。各領域について、シグナリングは、ＣＯＲＥＳＥＴによってスパンされるＯＦＤＭシンボル中にその周波数領域内のＲＥがリソース割当てから除外されるべきかどうかをＵＥに通知する。これは実施形態の第１のグループといくらかの類似性を有するが、ＣＯＲＥＳＥＴを除外する代わりに、ｇＮＢによって示される領域が除外される。１つの利点は、ｇＮＢが他のユーザのＣＯＲＥＳＥＴとのオーバーラップを知っているリソースも排除するように、ｇＮＢがＵＥにシグナリングすることができることである。
【００９２】
例えば、周波数領域は４つのクォーター（４分の１）に分割することができ、各クォーターは、全帯域幅の１／４である。ビットマップは、特定のクォーターがリソース割当てから除外されるべきか否かを示すために使用されることができる。
【００９３】
第９のグループの実施形態は、開始時間および制御領域再使用オプションのジョイントエンコーディングを含む。単一のフィールドは、データが開始するＯＦＤＭシンボル、およびＵＥに構成された制御領域がデータ伝送のためにどのように再使用されるべきかを示すために使用され得る。このような単一フィールドの値に対する符号化の一例を、３ビットが使用される場合について以下に説明する。以下では、ＣＯＲＥＳＥＴがＰＤＣＣＨメッセージが受信される制御領域を指す。
・０００：  開始シンボルはスケジュールされたすべてのＰＲＢに対するＣＯＲＥＳＥＴの後であり、スケジュールされたＰＲＢにおけるスケジュールされたＣＯＲＥＳＥＴ内のＰＤＣＣＨの外側のすべてのＲＥが、データのために使用される
・００１：  すべてのスケジュールされたＰＲＢに対して開始シンボルは０であり、スケジュールされたＰＲＢ内のスケジュールされたＣＯＲＥＳＥＴ内のＰＤＣＣＨの外側のすべてのＲＥは、データのために使用される
・０１０：  開始シンボルはすべてのスケジュールされたＰＲＢに対して１であり、スケジュールされたＣＯＲＥＳＥＴ内のＰＤＣＣＨの外側のすべてのＲＥは、データのために使用される
・０１１：  開始シンボルはスケジュールされたすべてのＰＲＢに対するＣＯＲＥＳＥＴの後であり、ＵＥに構成されたすべてのＣＯＲＥＳＥＴ内のＰＤＣＣＨの外側のすべてのＲＥが、データのために使用される
・１００：  開始シンボルはすべてのスケジュールされたＰＲＢのＣＯＲＥＳＥＴの後であり、ＣＯＲＥＳＥＴの最初のシンボルを除くスケジュールされたＣＯＲＥＳＥＴ内のＰＤＣＣＨの外側のすべてのＲＥがデータに使用される
・１０１：  開始シンボルはスケジュールされたすべてのＰＲＢのＣＯＲＥＳＥＴの後にあり、構成されたＣＯＲＥＳＥＴ内のどのＲＥもデータに使用されない
・１１０：  データはスケジュールされたＣＯＲＥＳＥＴにおいてのみ送信され、ＰＤＣＣＨの外部のＲＥはデータのために使用される
・１１１：  開始シンボルはスケジュールされたすべてのＰＲＢのＣＯＲＥＳＥＴの後であり、スケジュールされたＣＯＲＥＳＥＴ内のＰＤＣＣＨの外側のすべてのＲＥがデータに使用される
【００９４】
第１０のグループの実施形態は、制御領域にわたるＯＦＤＭシンボルにおけるリソースの再使用を示すためのビットマップの明示的な使用を含む。構成されたＣＯＲＥＳＥＴが存在する制御領域にわたるＯＦＤＭシンボル内のリソースの特定のグループは、これらのリソースがデータ割当ての一部であるか否かを示すために別個のビットを割り当てられ得る。ビットを割り当てることができる領域は以下を含む。
（１）ＰＤＣＣＨスケジューリングデータが受信されたＯＦＤＭシンボル以外のＯＦＤＭシンボル内にあるＣＯＲＥＳＥＴ内のＲＥ
（２）ＰＤＣＣＨスケジューリングデータが受信されたＯＦＤＭシンボル内にあるＣＯＲＥＳＥＴ内のＲＥ
（３）スケジュールされたＰＲＢ内のＲＥであるが、特定のＯＦＤＭシンボル内のＣＯＲＥＳＥＴの外側にあるＲＥ
【００９５】
第１１のグループの実施形態は、アップリンク伝送のための制御リソースセットの使用を含む。データ伝送全体は、アップリンク伝送のためにＵＥに構成された１つ以上のＣＯＲＥＳＥＴ内に含まれ得る。別の例では、データ伝送全体がアップリンク伝送のためにＵＥに構成された１つ以上またはすべてのＣＯＲＥＳＥＴの外部に含まれる。例えば、図９に示されるように、前のスロットにおいて、ＤＣＩメッセージは、そのスロットにおける最初のシンボルとは異なるシンボルから開始する次のスロットにおけるダウンリンク伝送をスケジュールすることができる。また、前のスロットにおけるアップリンク許可は、ダウンリンク伝送の前の次のスロットにおけるアップリンク伝送を示すことができる。
【００９６】
図９は特定の実施形態による、ＣＯＲＥＳＥＴの外部でのデータ伝送のいかなるリソース割り当ても伴わない、アップリンクデータのためのＣＯＲＥＳＥＴにおけるリソースの再使用の例を示す。図示の例は、複数のＯＦＤＭシンボルを含む伝送時間間隔と、制御リソース領域１０と、制御チャネル１２、１６、および２０と、データ伝送領域１４、１８、および２２とを含む。
【００９７】
ネットワークノード１２０などのネットワークノードは、無線装置１１０などのＵＥに制御チャネルを送信するために制御リソース領域１０を使用することができる。例えば、ネットワークノード１２０はアップリンク伝送（例えば、ＤＣＩを伴うＰＤＣＣＨ）をスケジュールするために、制御チャネル１２を無線装置１１０に送信することができる。
【００９８】
一例として、制御リソース領域１０ｂ内の制御チャネル２０を受信するＵＥは制御リソース領域１０ｂ（例えば、ＣＯＲＥＳＥＴ １０ｂ）の外部のデータ伝送のために割り当てられたリソースなしに、アップリンクデータ（例えば、データ伝送領域２２）のために次の制御リソース領域１０ｂ（例えば、ＣＯＲＥＳＥＴ １０ｂ)(矢印２２によって示される）内のリソースを再使用する。スロットｎ＋１内のＵＥは、前のスロットｎ内のスケジューリング情報を受信する。例えば、制御チャネル領域１２および１６は、スロットｎおよびスロットｎ＋１のスケジューリングを含む（図９に矢印で示すように）。
【００９９】
また、上記実施形態を同様に組み合わせてもよい。例えば、実施形態７および８のグループは、先の実施形態における技術を可能にするための方法として使用されてもよい。
【０１００】
上記の実施形態は、ＵＥのための複数のＰＤＤＣＨ伝送、ならびに制御リソースのセットにおいてＵＥによって監視されるブロードキャストチャネルおよび同期信号などの他の伝送を含むことができる。ユーザデータ伝送以外の何らかのために使用されるＵＥに知られているすべてのリソースは、制御リソースのセットにおいて使用されるリソースとみなされる。
【０１０１】
図１０は、いくつかの実施形態による、ネットワークノードにおける例示的な方法を示すフロー図である。特定の実施形態では、図１０の１以上のステップが図１に関して説明された無線ネットワーク１００のネットワークノード１２０によって実行される。
【０１０２】
この方法はステップ１０６２で始まり、ここで、ネットワークノードは、キャリアのための１つ以上の制御リソース領域を判定する。例えば、ネットワークノード１２０は１つ以上の無線装置１１０に制御情報を送信することができる１つ以上のＣＯＲＥＳＥＴ（または任意の他の適切な制御リソース）（例えば、図２〜９に関して示される制御リソース領域１０）を判定することができる。ネットワークノード１２０は制御リソース領域１０を動的に判定してもよく（例えば、ネットワーク１００の別の構成要素からシグナリングまたは他の通信を受信するなど）、またはネットワークノード１２０は、１つ以上の制御リソース領域に関する情報でプロビジョニングまたは事前設定されてもよい。
【０１０３】
ステップ１０６４において、ネットワークノードは、１つ以上の制御リソース領域のうちの第１の制御リソース領域内の制御チャネル領域を判定する。例えば、ネットワークノード１２０は無線装置１１０に制御情報を送信するために、制御リソース領域内でＰＤＣＣＨ(例えば、図２〜９に関して示される制御チャネル１２、１６、または１８）を判定し得る。
【０１０４】
制御チャネルは、制御リソース領域を備える時間および周波数リソースのサブセットを備えることができる。残りの時間および周波数リソースは、別の制御チャネルのために使用されてもよく、データ伝送のために使用されてもよく、または使用されなくてもよい。
【０１０５】
ネットワークノード１２０は制御チャネル領域を動的に判定してもよく（例えば、ネットワーク１００の別の構成要素からシグナリングまたは他の通信を受信するなど）、またはネットワークノード１２０は、１つ以上の制御チャネル領域に関する情報をプロビジョニングまたは事前設定されてもよい。
【０１０６】
ステップ１０６６において、ネットワークノードは、１つ以上の制御リソース領域のうちの少なくとも１つの制御リソース領域内のデータ伝送領域を判定する。例えば、ネットワークノード１２０は制御リソース領域１０が未使用リソース（すなわち、制御チャネルまたはデータ伝送のために使用されないリソース）を含むことを判定することができる。ネットワークノード１２０は、これらのリソースのいくつかまたはすべてがデータ伝送のために使用され得ることを判定し得る。いくつかの実施形態ではネットワークノード１２０がいくつかの使用されたリソース（例えば、より低い優先度のユーザーまたはサービスのための制御チャネルはより高い優先度のデータ伝送のためにパンクチャされ得る）を判定し得る。
【０１０７】
特定の実施形態では、データ伝送領域が少なくとも１つの制御リソース領域におけるリソースのサブセットを含む。一例が図２に示されており、ここでは、データ伝送領域１４が制御リソース領域１０ａ内のリソースのサブセットを含む。データ伝送領域は、制御チャネル領域のためのリソースを除外することができる。例えば、図２に関しては、データ伝送領域１４は制御チャネル領域１２を除外している。別の例として、図３に関して、データ伝送領域１４は、制御チャネル領域１２によって使用されるリソースを除いて、制御領域１０ａのすべてのリソースを含む。
【０１０８】
特定の実施形態では、データ伝送領域が少なくとも１の制御リソース領域内のリソースと、１以上の制御リソース領域のいずれかの外部のリソースとを含む。例えば、図２〜図６はすべて、制御リソース領域１０の内部および外部の両方のリソースを含むデータ伝送領域１４および／または１８を示す。
【０１０９】
少なくとも１つの制御リソース領域内のリソースの周波数範囲は、１つ以上の制御リソース領域のいずれかの外側のリソースの周波数範囲（例えば、図２のデータ伝送領域１４）と同じであってもよく、または周波数範囲は１つ以上の制御リソース領域のいずれかの外側のリソースの周波数範囲（例えば、図３のデータ伝送領域１４）と異なってもよい。
【０１１０】
特定の実施形態ではデータ伝送領域が少なくとも１の制御リソース領域の外側のリソースを除外する（例えば、図７のデータ伝送領域１４は制御リソース領域１０ａ内に完全に含まれる）。データ伝送領域は少なくとも１つの制御リソース領域内のすべてのリソースを備えることができる（例えば、図７のデータ伝送領域１８は、制御リソース領域１０ｂのすべてのリソースを含む）。ネットワークノードは（例えば、図２〜９に関して）本明細書で説明される実施形態または例のいずれかに従って、データ伝送領域を判定してもよい。
【０１１１】
ステップ１０６８において、ネットワークノードは、判定されたデータ伝送領域を無線装置にシグナリングする。例えば、ネットワークノード１２０は、判定されたデータ伝送領域を無線装置１１０にシグナリングしてもよい。
【０１１２】
いくつかの実施形態では、シグナリングは、データ伝送のための開始シンボルおよびいくつかのシンボルを含み得る。シグナリングは、周波数範囲を含むことができる。シグナリングは、データ伝送領域から除外されたリソース領域を含んでもよい。
【０１１３】
いくつかの実施形態では、無線装置が所定のルールまたは既知の制御領域に暗黙的に基づいて除外領域を判定することができる。いくつかの実施形態では、ネットワークノードが除外されたリソース領域を明示的にシグナリングすることができる。
【０１１４】
特定の実施形態では、判定されたデータ伝送領域を無線装置にシグナリングすることはビットマップをシグナリングすることを含む。ビットマップは、データ伝送領域のために使用される時間および周波数リソースの１つ以上のグループ、および／またはデータ伝送領域から除外される時間および周波数リソースの１つ以上のグループを示してもよい。
【０１１５】
特定の実施形態では、判定されたデータ伝送領域を無線装置にシグナリングすることは少なくとも１つの制御リソース領域の識別子をシグナリングすることを含む。少なくとも１つの制御リソース領域の識別子は、データ伝送領域に使用される制御リソース領域、および／またはデータ伝送領域から除外される制御リソース領域を示す。ネットワークノードは（例えば、図２〜図９に関して）本明細書で説明される実施形態または例のいずれかに従って、データ伝送領域に信号を送ることができる。
【０１１６】
方法１０００には、修正、追加、または省略が行われてもよい。さらに、図１の方法１００における１つ以上のステップは、並行して、または任意の適切な順序で実行され得る。方法１０００のステップは、必要に応じて経時的に繰り返すことができる。
【０１１７】
図１１は、いくつかの実施形態による、無線装置における例示的な方法を示すフロー図である。特定の実施形態では、図１１の１以上のステップが図１に関して説明された無線ネットワーク１００の無線装置１１０によって実行される。
【０１１８】
この方法はステップ１１６２で始まり、無線装置は、無線装置がデータ伝送を受信するために割り振られた時間リソースおよび周波数リソースのセットを示す制御情報を含む制御チャネルを受信する。例えば、無線装置１１０はネットワークノード１２０から制御チャネル（例えば、ＰＤＣＣＨ）を受信し得る。
【０１１９】
ステップ１１６４において、無線装置は、データ伝送のために割り振られた時間リソースおよび周波数リソースのセットが制御リソース領域とオーバーラップすることを判定する。例えば、無線装置１１０は、データ伝送領域が１つ以上の制御リソース領域１０のリソースを含むと判定することができる。
【０１２０】
特定の実施形態では、データ伝送領域が少なくとも１つの制御リソース領域におけるリソースのサブセットを含む。一例が図２に示されており、ここでは、データ伝送領域１４が制御リソース領域１０ａ内のリソースのサブセットを含む。データ伝送領域は、制御チャネル領域のためのリソースを除外することができる。例えば、図２に関しては、データ伝送領域１４は制御チャネル領域１２を除外している。別の例として、図３に関して、データ伝送領域１４は、制御チャネル領域１２によって使用されるリソースを除いて、制御領域１０ａのすべてのリソースを含む。
【０１２１】
特定の実施形態では、データ伝送領域が少なくとも１の制御リソース領域内のリソースと、１以上の制御リソース領域のいずれかの外部のリソースとを含む。例えば、図２〜６はすべて、制御リソース領域１０の内部および外部の両方のリソースを含むデータ伝送領域１４および／または１８を示す。
【０１２２】
少なくとも１つの制御リソース領域内のリソースの周波数範囲は１つ以上の制御リソース領域のいずれかの外側のリソースの周波数範囲（例えば、図２のデータ伝送領域１４）と同じであってもよく、または周波数範囲は１つ以上の制御リソース領域のいずれかの外側のリソースの周波数範囲（例えば、図３のデータ伝送領域１４）と異なってもよい。
【０１２３】
特定の実施形態ではデータ伝送領域が少なくとも１つの制御リソース領域の外側のリソースを除外する（例えば、図７のデータ伝送領域１４は制御リソース領域１０ａ内に完全に含まれる）。データ伝送領域は少なくとも１つの制御リソース領域内のすべてのリソースを備えることができる（例えば、図７のデータ伝送領域１８は、制御リソース領域１０ｂのすべてのリソースを含む）。ネットワークノードは（例えば、図２〜図９に関して）本明細書で説明される実施形態または例のいずれかに従って、データ伝送領域を判定することができる。
【０１２４】
いくつかの実施形態では、無線装置が所定のルールまたは既知の制御領域に基づいて、データ伝送の特定の領域が暗黙的に除外されることを判定し得る。いくつかの実施形態では、ネットワークノード１２０が除外されたリソース領域を無線装置１１０に明示的にシグナリングし得る。
【０１２５】
例えば、特定の実施形態では、ネットワークノード１２０がビットマップを用いて、判定されたデータ伝送領域を無線装置１１０にシグナリングする。ビットマップは、データ伝送領域のために使用される時間および周波数リソースの１つ以上のグループ、および／またはデータ伝送領域から除外される時間および周波数リソースの１つ以上のグループを示してもよい。
【０１２６】
別の例では、ネットワークノード１２０が少なくとも１つの制御リソース領域の識別子を用いて、判定されたデータ伝送領域を無線装置１１０にシグナリングし得る。少なくとも１つの制御リソース領域の識別子は、データ伝送領域に使用される制御リソース領域、および／またはデータ伝送領域から除外される制御リソース領域を示す。ネットワークノードは（例えば、図２〜９に関して）本明細書で説明される実施形態または例のいずれかに従って、データ伝送領域に信号を送ることができる。
【０１２７】
ステップ１１６６において、無線装置は、データ伝送のために割り当てられた時間および周波数リソースのセットにおいて、データ伝送を受信／送信する。例えば、無線装置１１０は、データ伝送のために割り当てられた時間および周波数リソースのセットにおいて、ネットワークノード１２０からデータ伝送を受信し得る。無線装置１１０は、データ伝送領域から除外された特定の領域を無視することを知ることができる。
【０１２８】
方法１１００には、修正、追加、または省略が行われてもよい。さらに、図１１の方法１１００における１つ以上のステップは、並行して、または任意の適切な順序で実行され得る。方法１１００のステップは、必要に応じて経時的に繰り返されてもよい。
【０１２９】
図１２Ａは、無線装置の例示的な実施形態を示すブロック図である。無線装置は、図１に示される無線装置１１０の一例である。特定の実施形態では、無線装置が制御リソース領域（例えば、ＣＯＲＥＳＥＴ）内でユーザデータを送信／受信することができる。
【０１３０】
無線装置の特定の例は携帯電話、スマートフォン、ＰＤＡ(パーソナルデジタルアシスタント）、ポータブルコンピュータ（例えば、ラップトップ、タブレット）、センサ、モデム、マシンタイプ（ＭＴＣ）装置／マシンツーマシン（Ｍ２Ｍ）装置、ラップトップ埋め込み機器（ＬＥＥ）、ラップトップマウント機器（ＬＭＥ）、ＵＳＢドングル、デバイス間通信対応装置、車両間通信装置、または無線通信を提供することができる任意の他の装置を含む。無線装置は、送受信器１０１０と、処理回路１０２０と、メモリ１０３０と、電源１０４０とを含む。いくつかの実施形態では送受信器１０１０が（例えば、アンテナを介して）無線ネットワークノード１２０への無線信号の送信および無線ネットワークノード１２０からの無線信号の受信を容易にし、処理回路１０２０は無線装置によって提供されるように、本明細書で説明される機能のいくつかまたはすべてを提供するための命令を実行し、メモリ１０３０は処理回路１０２０によって実行される命令を保存する。電源１０４０は、送受信器１０１０、処理回路１０２０、および／またはメモリ１０３０など、無線装置１１０の構成要素のうちの１つ以上に電力を供給する。
【０１３１】
処理回路１０２０は無線装置の説明された機能のいくつかまたはすべてを実行するために、命令を実行し、データを操作するために、１つ以上の集積回路またはモジュールにおいて実装されたハードウェアおよびソフトウェアの任意の適切な組合せを含む。いくつかの実施形態では、処理回路１０２０が例えば、１つ以上のコンピュータ、１つ以上のプログラマブル論理デバイス、１つ以上の中央処理装置（ＣＰＵ）、１つ以上のマイクロプロセッサ、１つ以上のアプリケーション、および／または他の論理、および／または前述のもの任意の適切な組合せを含むことができる。処理回路１０２０は、無線装置１１０の説明された機能の一部またはすべてを実行するように構成されたアナログおよび／またはデジタル回路を含み得る。例えば、処理回路１０２０は、抵抗器、キャパシタ、インダクタ、トランジスタ、ダイオード、および／または任意の他の適切な回路構成要素を含み得る。処理回路１０２０は、以下の方法前記のステップのいずれかを実行することができる。
【０１３２】
メモリ１０３０は一般に、コンピュータ実行可能コードおよびデータを格納するように動作可能である。メモリ１０３０の例はコンピュータメモリ（例えば、ランダムアクセスメモリ（ＲＡＭ）または読み取り専用メモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、および／または情報を記憶する任意の他の揮発性または不揮発性の、非一時的いコンピュータ可読および／またはコンピュータ実行可能メモリデバイスを含む。
【０１３３】
電源１０４０は一般に、無線装置１１０の構成要素に電力を供給するように動作可能である。電源１０４０は、リチウムイオン、リチウム空気、リチウムポリマー、ニッケルカドミウム、ニッケル金属水素化物、または無線装置に電力を供給するための任意の他の適切なタイプのバッテリなど、任意の適切なタイプのバッテリを含み得る。特定の実施形態では、送受信器１０１０と通信する処理回路１０２０が制御リソース領域（例えば、ＣＯＲＥＳＥＴ）内のユーザデータを受信する。
【０１３４】
無線装置の他の実施形態は、上述の機能性のうちのいずれか、および／または（上述のソリューションをサポートするために必要な任意の機能性を含む）任意の追加の機能性を含む、無線装置の機能性のある態様を提供する責任を負う追加のコンポーネント（図１２Ａに示されるコンポーネントを超える）を含み得る。
【０１３５】
図１２Ｂは、無線装置１１０の例示的な構成要素を示すブロック図である。コンポーネントは、受信モジュール１０５０および判定モジュール１０５２を含むことができる。
【０１３６】
受信モジュール１０５０は、無線装置１１０の受信機能を実行することができる。例えば、受信モジュール１０５０は、データ伝送を受信するために無線装置１１０に割り当てられた時間リソースおよび周波数リソースのセットを示す制御情報を含む制御チャネルを受信することができる。受信部１０５０は上述の例および実施形態のいずれかに従って制御チャネルおよび制御情報を受信することができ（例えば、図１１のステップ１１６２）、受信部１０５０は時間および周波数リソースのセットでデータ伝送を受信することができる（例えば、図１１のステップ１１６６）。特定の実施形態では、受信モジュール１０５０が処理回路１０２０を含むことができ、または含むことができる。特定の実施形態では、受信モジュール１０５０が判定モジュール１０５２と通信する。
【０１３７】
判定部１０５２は、無線装置１１０の判定機能を実行することができる。例えば、判定モジュール１０５２は上述した例および実施形態のいずれかに従って、データ伝送のために割り当てられた時間および周波数リソースのセットが制御リソース領域とオーバーラップすることを判定することができる（例えば、図１１のステップ１１６４）。特定の実施形態では、判定モジュール１０５２が処理回路１０２０を含むことができ、または含むことができる。特定の実施形態では、判定モジュール１０５２が受信モジュール１０５０と通信する。
【０１３８】
図１３Ａは、ネットワークノードの例示的な実施形態を示すブロック図である。ネットワークノードは、図１に示すネットワークノード１２０の一例である。特定の実施形態では、ネットワークノードが制御リソース領域（例えば、ＣＯＲＥＳＥＴ）内でユーザデータを送信することができる。
【０１３９】
ネットワークノード１２０はｅＮｏｄｅＢ、ＮｏｄｅＢ、基地局、無線アクセスポイント（例えば、Ｗｉ−Ｆｉアクセスポイント）、低電力ノード、基地送受信局（ＢＴＳ）、伝送ポイントまたはノード、遠隔ＲＦユニット、遠隔無線ヘッド（ＲＲＨ）、または他の無線アクセスノードであってもよい。ネットワークノードは、少なくとも１つの送受信器１１１０と、処理回路１１２０と、少なくとも１つのメモリ１１３０と、少なくとも１つのネットワークインタフェース１１４０とを含む。送受信器１１１０は（例えば、アンテナを介して）無線装置１１０のような無線装置への無線信号の送信および無線装置からの無線信号の受信を容易にし、処理回路１１２０はネットワークノード１２０によって提供されるものとして上述された機能のいくつかまたはすべてを提供するための命令を実行し、メモリ１１３０は処理回路１１２０によって実行される命令を保存し、ネットワークインタフェース１１４０は、ゲートウェイ、スイッチ、ルータ、インターネット、公衆交換電話網（ＰＳＴＮ）、コントローラ、および／または他のネットワークノード１２０のようなバックエンドネットワークコンポーネントに信号を通信する。処理回路１１２０およびメモリ１１３０は、上記の図１２Ａの処理回路１０２０およびメモリ１０３０に関して説明したものと同じタイプのものとすることができる。処理回路１１２０は、以下の方法前記のステップのいずれかを実行することができる。
【０１４０】
いくつかの実施形態では、ネットワークインタフェース１１４０が処理回路１１２０に通信可能に結合され、ネットワークノード１２０の入力を受信し、ネットワークノード１２０から出力を送信し、入力または出力またはその両方の適切な処理を実行し、他のデバイスと通信し、あるいはこれらの任意の組合せを行うように動作可能な任意の適切なデバイスを指す。ネットワークインタフェースカード通信するための、プロトコル変換およびデータ処理能力を含む適切なハードウェア（例えば、ポート、モデム、ネットワークインターフェースカードなど）およびソフトウェアを含む。特定の実施形態では、送受信器１１１０と通信する処理回路１１２０が制御リソース領域（例えば、ＣＯＲＥＳＥＴ）内のユーザデータを通信する。
【０１４１】
ネットワークノード１２０の他の実施形態は、上述の機能性のいずれか、および／または任意の追加の機能性（上述の解決策をサポートするために必要な任意の機能性を含む）を含む、ネットワークノードの機能性の特定の態様を提供する責任を負う追加の構成要素（図１３Ａに示される構成要素を超える）を含む。様々な異なるタイプのネットワークノードは同じ物理ハードウェアを有するが、異なる無線アクセス技術をサポートするように（例えば、プログラムを介して）構成されたコンポーネントを含むことができ、または部分的にまたは完全に異なる物理コンポーネントを表すことができる。
【０１４２】
図１３Ｂは、ネットワークノード１２０の例示的な構成要素を示すブロック図である。コンポーネントは、判定モジュール１１５０およびシグナリングモジュール１１５２を含むことができる。
【０１４３】
判定モジュール１１５０は、ネットワークノード１２０の判定機能を実行することができる。例えば、判定モジュール１１５０はキャリアのための１つ以上の制御リソース領域を判定し、１つ以上の制御リソース領域のうちの第１の制御リソース領域内の制御チャネル領域を判定し、１つ以上の制御リソース領域のうちの少なくとも１つの制御リソース領域内のデータ伝送領域を判定し得る。判定モジュール１１５０は上述の例および実施形態のいずれかに従って判定機能を実行することができる（例えば、図１のステップ１０６２〜ステップ１０６６）。特定の実施形態では、判定モジュール１１５０が処理回路１１２０を含んでもよく、または含まれてもよい。特定の実施形態では、判定モジュール１１５０がシグナリングモジュール１１５２と通信する。
【０１４４】
シグナリングモジュール１１５２は、ネットワークノード１２０のシグナリング機能を実行することができる。例えば、シグナリングモジュール１１５２は本明細書で説明される実施形態および例のいずれかに従って、判定されたデータ伝送領域を無線装置にシグナリングし得る（例えば、図１０のステップ１０６８）。特定の実施形態では、シグナリングモジュール１１５２が処理回路１１２０を含んでもよく、または含まれてもよい。特定の実施形態では、シグナリングモジュール１１５２が判定モジュール１１５０と通信する。
【０１４５】
本発明の範囲から逸脱することなく、本明細書に開示されたシステムおよび装置に修正、追加、または省略がなされてもよい。システムおよび装置の構成要素は、統合されていても、分離されていてもよい。さらに、システムおよび装置の操作はより多くの、より少ない、または他の構成要素によって実行され得る。さらに、システムおよび装置の操作は、ソフトウェア、ハードウェア、および／または他のロジックを備える任意の適切なロジックを使用して実行され得る。本明細書で使用されるように、「各」は、セットの各メンバ、またはセットのサブセットの各メンバを指す。
【０１４６】
本発明の範囲から逸脱することなく、本明細書に開示された方法に修正、追加、または省略がなされてもよい。この方法はより多くの、より少ない、または他のステップを含むことができる。さらに、ステップは、任意の適切な順序で実行されてもよい。
【０１４７】
本開示は特定の実施形態に関して説明されてきたが、実施形態の変更および置換は当業者には明らかであろう。したがって、実施形態の上記の説明は、本開示を制約しない。以下の特許請求の範囲によって定義されるように、本開示の精神および範囲から逸脱することなく、他の変更、置換、および変更が可能である。前述の説明で使用された略語には、以下のものが含まれる。
３ＧＰＰ          第３世代パートナーシッププロジェクト 
ＡＣＫ            確認 
ＢＬＥＲ          ブロック誤り率 
ＢＴＳ            無線基地局 
ＣＲＣ            巡回冗長検査 
ＣＳＩ            チャネル状態情報 
Ｄ２Ｄ            デバイス・ツー・デバイス 
ＤＣＩ            ダウンリンク制御情報 
ＤＬ              ダウンリンク 
ＤＭＲＳ          復調基準信号 
ｅＰＤＣＣＨ      拡張物理ダウンリンク制御チャネル 
ｅＮＢ            ｅＮｏｄｅＢ 
ＦＤＤ            周波数分割複信 
ＨＡＲＱ          ハイブリッド自動再送要求 
ＬＴＥ            Ｌｏｎｇ  Ｔｅｒｍ  Ｅｖｏｌｕｔｉｏｎ 
Ｍ２Ｍ            マシン間通信 
ＭＡＣ            メディアアクセス制御 
ＭＣＳ            変調符号化方式 
ＭＩＭＯ          多入力多出力 
ＭＴＣ            マシンタイプ通信 
ＮＡＫ            否定応答 
ＮＲ              Ｎｅｗ  Ｒａｄｉｏ 
ＯＦＤＭ          直交周波数分割多重 
ＰＤＣＣＨ        物理ダウンリンク制御チャネル 
ＰＤＳＣＨ        物理ダウンリンク共有チャネル 
ＰＭＩＳ          プリコーディング・マトリックス・インジケータ 
ＰＲＢ            物理リソースブロック 
ＰＵＣＣＨ        物理アップリンク制御チャネル 
ＰＵＳＣＨ        物理アップリンク共有チャネル 
ＲＡＮ            無線アクセスネットワーク 
ＲＡＴ            無線アクセス技術 
ＲＢ              リソースブロック 
ＲＢＳ            無線基地局 
ＲＥ              リソースエレメント 
ＲＩ              ランクインデックス 
ＲＮＣ            無線ネットワーク制御 
ＲＲＣ            無線リソース制御 
ＲＲＨ            リモート・ラジオ・ヘッド 
ＲＲＵ            リモート無線ユニット 
ＲＳ              基準信号 
ＳＣ−ＦＤＭＡ    単一キャリア周波数分割多元接続 
ＴＤＤ            時分割複信 
ＴＴＩ            伝送時間間隔 
ＵＣＩ            アップリンク制御情報 
ＵＥ              ユーザ機器 
ＵＬ              アップリンク 
ＵＴＲＡＮ        ユニバーサル地上無線アクセスネットワーク 
ＷＡＮ            無線アクセスネットワーク 
【図１】
2020507265.tif 000003
【図２】
2020507265.tif 000004
【図３】
2020507265.tif 000005
【図４】
2020507265.tif 000006
【図５】
2020507265.tif 000007
【図６】
2020507265.tif 000008
【図７】
2020507265.tif 000009
【図８】
2020507265.tif 000010
【図９】
2020507265.tif 000011
【図１０】
2020507265.tif 000012
【図１１】
2020507265.tif 000013
【図１２Ａ】
2020507265.tif 000014
【図１２Ｂ】
2020507265.tif 000015
【図１３Ａ】
2020507265.tif 000016
【図１３Ｂ】
2020507265.tif 000017
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
ネットワークノードにおける方法であって、 
キャリアのための１つ以上の制御リソース領域を判定する（１０６２）ことであって、前記１つ以上の制御リソース領域の各制御リソース領域は、時間および周波数リソースのセットを備える、判定（１０６２）することと、
前記１つ以上の制御リソース領域のうちの少なくとも１つの制御リソース領域内のデータ伝送領域を判定（１０６６）することと、
無線装置へ信号を送信することであって、前記信号は、前記データ伝送領域から除外された前記１つ以上の制御リソース領域からのリソースを指示する、送信することと、
を含む方法。
【請求項２】
前記データ伝送領域は、前記少なくとも１つの制御リソース領域内の前記リソースのサブセットを含む、請求項１に記載の方法。
【請求項３】
前記１つ以上の制御リソース領域のうちの第１の制御リソース領域内の制御チャネル領域を判定（１０６４）することをさらに含む、請求項１または２に記載の方法。
【請求項４】
前記データ伝送領域は、前記制御チャネル領域のためのリソースを除外する、請求項３に記載の方法。
【請求項５】
前記データ伝送領域は、前記少なくとも１つの制御リソース領域の内側のリソースと、前記１つ以上の制御リソース領域のいずれかの外側のリソースとを含む、請求項１から４のいずれか１項に記載の方法。
【請求項６】
前記少なくとも１つの制御リソース領域の内側のリソースの周波数範囲は、前記１つ以上の制御リソース領域のうちのいずれかの外側の前記リソースの周波数範囲と同じである、請求項５に記載の方法。
【請求項７】
前記少なくとも１つの制御リソース領域の内側の前記リソースの周波数範囲は、前記１つ以上の制御リソース領域のいずれかの外側の前記リソースの周波数範囲とは異なる、請求項５に記載の方法。
【請求項８】
前記データ伝送領域は、前記少なくとも１つの制御リソース領域の外側のリソースを除外する、請求項１から７のいずれか１項に記載の方法。
【請求項９】
前記データ伝送領域は、前記少なくとも１つの制御リソース領域内のすべてのリソースを含む、請求項１に記載の方法。
【請求項１０】
前記１つ以上の制御リソース領域は１つ以上の制御リソースのセット（ＣＯＲＥＳＥＴＳ）を含み、前記制御チャネル領域は、物理ダウンリンク制御チャネル（ＰＤＣＣＨ）を含む、請求項１から９のいずれか１項に記載の方法。
【請求項１１】
前記信号を前記無線装置に送信することは、ビットマップをシグナリングすることを含み、前記ビットマップは、データ伝送領域から除外される時間および周波数リソースの１つ以上のグループを示す、請求項１から１０のいずれか１項に記載の方法。
【請求項１２】
前記信号を前記無線装置に送信することは、少なくとも１つの制御リソース領域の識別子をシグナリングすることを含み、前記少なくとも１つの制御リソース領域の前記識別子は、前記データ伝送領域から除外される制御リソース領域を示す、請求項１から９のいずれか１項に記載の方法。
【請求項１３】
処理回路（１１２０）を含むネットワークノード（１２０）であって、前記処理回路は、
１つのキャリアのための１つ以上の制御リソース領域（１０）を判定することであって、前記１つ以上の制御リソース領域の各制御リソース領域は、時間および周波数リソースのセットを備える、判定し、
前記１つ以上の制御リソース領域のうちの少なくとも１つの制御リソース領域内のデータ伝送領域を判定し、
無線装置（１１０）に信号を送信することであって、前記データ伝送領域から除外された前記１つ以上の制御リソース領域を指示する前記信号を送信する、
ように動作可能である、ネットワークノード。
【請求項１４】
前記データ伝送領域は、前記少なくとも１つの制御リソース領域内の前記リソースのサブセットを備える、請求項１３に記載のネットワークノード。
【請求項１５】
前記処理回路は、前記１つ以上の制御リソース領域のうちの第１の制御リソース領域内の制御チャネル領域を判定するよう設定される、請求項１３または１４に記載のネットワークノード。
【請求項１６】
前記データ伝送領域は、前記制御チャネル領域のためのリソースを除外する、請求項１５に記載のネットワークノード。
【請求項１７】
前記データ伝送領域は、前記少なくとも１つの制御リソース領域の内側のリソースと、前記１つ以上の制御リソース領域のいずれかの外側のリソースとを備える、請求項１３から１６のいずれか１項に記載のネットワークノード。
【請求項１８】
前記少なくとも１つの制御リソース領域の内側のリソースの周波数範囲は、前記１つ以上の制御リソース領域のいずれかの外側の前記リソースの周波数範囲と同じである、請求項１３から１７のいずれか１項に記載のネットワークノード。
【請求項１９】
前記少なくとも１つの制御リソース領域の内側の前記リソースの周波数範囲は、前記１つ以上の制御リソース領域のいずれかの外側の前記リソースの周波数範囲とは異なる、請求項１３から１７のいずれか１項に記載のネットワークノード。
【請求項２０】
前記データ伝送領域は、前記少なくとも１つの制御リソース領域の外側のリソースを除外する、請求項１３から１９のいずれか１項に記載のネットワークノード。
【請求項２１】
前記データ伝送領域は、前記少なくとも１つの制御リソース領域内のすべてのリソースを含む、請求項１３から１９のいずれか１項に記載のネットワークノード。
【請求項２２】
前記１つ以上の制御リソース領域は１つ以上の制御リソースセット（ＣＯＲＥＳＥＴＳ）を含み、前記制御チャネルは物理ダウンリンク制御チャネル（ＰＤＣＣＨ）を含む、請求項１５から２１のいずれか１項に記載のネットワークノード。
【請求項２３】
前記処理回路はビットマップをシグナリングすることによって、前記信号を前記無線装置に送信するように動作可能であり、前記ビットマップは、前記データ伝送領域から除外される時間および周波数リソースの１つ以上のグループを指示する、請求項１３から２２のいずれか１項に記載のネットワークノード。
【請求項２４】
前記処理回路は少なくとも１つの制御リソース領域の識別子をシグナリングすることによって、判定された前記データ伝送領域を前記無線装置にシグナリングするように動作可能であり、前記少なくとも１つの制御リソース領域の前記識別子は、前記データ伝送領域から除外される制御リソース領域を指示する、請求項１３から２２のいずれか１項に記載のネットワークノード。
【請求項２５】
無線装置における方法であって、 
ネットワークノードから、データ伝送から除外される１つ以上の制御リソース領域からのリソースを指示する信号を受信することと、
受信した前記信号に基づいてデータの受信および送信のいずれかを実行することと、
を含む方法。
【請求項２６】
前記無線装置のために割り当てられた時間および周波数リソースのセットを指示する制御情報を含む制御チャネルを受信することをさらに含む請求項２５に記載の方法。
【請求項２７】
割り当てられた時間および周波数リソースの前記セットは、前記制御リソース領域内の前記リソースのサブセットを含む、請求項２６に記載の方法。
【請求項２８】
割り当てられた時間および周波数リソースの前記セットは、制御チャネルのために使用されるリソースを除外する、請求項２６または２７に記載の方法。
【請求項２９】
割り当てられた時間および周波数リソースの前記セットは、前記制御リソース領域の内側のリソースと、任意の制御リソース領域外のリソースとを含む、請求項２６または２７に記載の方法。
【請求項３０】
前記制御リソース領域の内側の前記リソースの周波数範囲は、前記制御リソース領域の外側の前記リソースの周波数範囲と同じである、請求項２６から２９のいずれか１項に記載の方法。
【請求項３１】
前記制御リソース領域の内側の前記リソースの周波数範囲は、前記制御リソース領域の外側の前記リソースの周波数範囲とは異なる、請求項２６から２９のいずれか１項に記載の方法。
【請求項３２】
データ伝送のために割り当てられた時間および周波数リソースの前記セットは、前記制御リソース領域の外側のリソースを除外する、請求項２６から２９のいずれか１項に記載の方法。
【請求項３３】
データ伝送のために割り当てられた時間および周波数リソースの前記セットは、前記制御リソース領域内のすべてのリソースを含む、請求項２６から３２のいずれか１項に記載の方法。
【請求項３４】
前記制御リソース領域は制御リソースセット（ＣＯＲＥＳＥＴ）を含み、前記制御チャネルは物理ダウンリンク制御チャネル（ＰＤＣＣＨ）を含む、請求項２５から３３のいずれか１項に記載の方法。
【請求項３５】
前記信号はビットマップを含み、前記ビットマップは、前記データ伝送領域から除外される時間および周波数リソースの１つ以上のグループを示す、請求項２５から３４のいずれか１項に記載の方法。
【請求項３６】
前記信号は少なくとも１つの制御リソース領域の識別子を含み、前記少なくとも１つの制御リソース領域の前記識別子は、前記データ伝送から除外される制御リソース領域を示す、請求項２５から３４のいずれか１項に記載の方法。
【請求項３７】
処理回路（１０２０）を備える無線装置（１１０）であって、前記処理回路は、
ネットワークノードから、データ伝送から除外される１つ以上の制御リソース領域からのリソースを指示する信号を受信し、
受信した前記信号に基づいてデータの受信および送信のいずれかを実行する、
ように動作可能である無線装置。
【請求項３８】
前記処理回路は、
前記無線装置に割り当てられた時間および周波数リソースのセットを示す制御情報を含む制御チャネルをさらに受信するよう設定される請求項３７に記載の無線装置。
【請求項３９】
データ伝送のために割り当てられた時間および周波数リソースの前記セットは、前記制御リソース領域内の前記リソースのサブセットを備える、請求項３８に記載の無線装置。
【請求項４０】
データ伝送のために割り当てられた時間および周波数リソースの前記セットは、制御チャネルのために使用されるリソースを除外する、請求項３７から３９のいずれか１項に記載の無線装置。
【請求項４１】
データ伝送のために割り当てられた時間および周波数リソースの前記セットは、前記制御リソース領域の内側のリソースと、任意の制御リソース領域の外側のリソースとを含む、請求項３８から４０のいずれか１項に記載の無線装置。
【請求項４２】
前記制御リソース領域の内側の前記リソースの周波数範囲は、前記制御リソース領域の外側の前記リソースの周波数範囲と同じである、請求項４１に記載の無線装置。
【請求項４３】
前記制御リソース領域の内側の前記リソースの周波数範囲は、前記制御リソース領域の外側の前記リソースの周波数範囲とは異なる、請求項４１に記載の無線装置。
【請求項４４】
データ伝送のために割り当てられた時間および周波数リソースの前記セットは、前記制御リソース領域の外側のリソースを除外する、請求項３８から４３のいずれか１項に記載の無線装置。
【請求項４５】
データ伝送のために割り当てられた時間および周波数リソースの前記セットは、前記制御リソース領域内のすべてのリソースを備える、請求項３８から４３のいずれか１項に記載の無線装置。
【請求項４６】
前記制御リソース領域は制御リソースのセット（ＣＯＲＥＳＥＴ）を含み、前記制御チャネル領域は物理ダウンリンク制御チャネル（ＰＤＣＣＨ）を含む、請求項３８から４５のいずれか１項に記載の無線装置。
【請求項４７】
前記制御情報はビットマップを含み、前記ビットマップは、前記データ伝送領域から除外される時間および周波数リソースの１つ以上のグループを指示する、請求項３７から４６のいずれか１項に記載の無線装置。
【請求項４８】
前記制御情報は少なくとも１つの制御リソース領域の識別子を含み、前記少なくとも１つの制御リソース領域の前記識別子は、データ伝送から除外される制御リソース領域を指示する、請求項３７から４６のいずれか１項に記載の無線装置。
【国際調査報告】
2020507265.tif 000018
2020507265.tif 000019